(57)【特許請求の範囲】
【請求項１】
アップリンク周波数分割複信(ＦＤＤ)キャリアにおけるアップリンク制御チャネルリソースのデータ伝送及び割り当てを行い、受信機がダウンリンクＦＤＤキャリアと時分割複信(ＴＤＤ)キャリアのキャリアアグリゲーションを使用してダウンリンクで送信されるデータに対するハイブリッド自動再送要求（ＨＡＲＱ）フィードバックを提供することを可能にする、無線ネットワークノードにおける方法であって、
前記ダウンリンクＦＤＤキャリアにおけるデータを送信するための各ダウンリンクサブフレームを前記アップリンクＦＤＤキャリアにおけるアップリンク制御チャネルサブフレームに関連付けることと、
前記ＴＤＤキャリアにおけるデータを送信するための各ダウンリンクサブフレーム及びスペシャルサブフレームを前記アップリンクＦＤＤキャリアにおけるアップリンク制御チャネルサブフレームに関連付けることと、
データを、前記ダウンリンクＦＤＤキャリア及びＴＤＤキャリアのうちの少なくとも１つの上で送信することと、
前記受信機に割り当てられた前記アップリンクＦＤＤキャリアの前記アップリンク制御チャネルサブフレームにおけるスケジューリング要求リソース上で、前記送信データに関係するＨＡＲＱフィードバックを前記受信機から受信することと、
を含み、
前記ダウンリンクＦＤＤキャリアにおける各ダウンリンクサブフレームの前記関連付け及び前記ＴＤＤキャリアにおける各ダウンリンクサブフレーム及びスペシャルサブフレームと前記アップリンクＦＤＤキャリアにおけるアップリンク制御チャネルサブフレームとの前記関連付けは、前記ダウンリンクＦＤＤキャリアに関係するＨＡＲＱフィードバックのみを含む前記アップリンクＦＤＤキャリアにおいて少なくとも１つのアップリンク制御チャネルサブフレームを生成し、空間バンドリングは、少なくとも１つのアップリンク制御チャネルサブフレーム内では実行されない、方法。
【請求項２】
前記ＴＤＤキャリアにおける各ダウンリンクサブフレーム及びスペシャルサブフレームは、前記アップリンクＦＤＤキャリアにおけるアップリンク制御チャネルサブフレームに一対一の関係又は多対一関係で関連付けられる請求項１に記載の方法。
【請求項３】
ダウンリンクサブフレームｎに対する前記ＨＡＲＱフィードバックは、前記アップリンクＦＤＤキャリア番号ｎ＋オフセット値ｋにおける前記アップリンク制御チャネルサブフレーム上で送信される請求項１又は２に記載の方法。
【請求項４】
前記アップリンクＦＤＤキャリアにおけるアップリンク制御チャネルサブフレームの種類及び前記アップリンクＦＤＤキャリアにおけるアップリンク制御チャネルサブフレームに関連付けられている前記ＴＤＤキャリアにおけるサブフレームのうちの少なくとも１つは、上位層構成済みエンティティから、又はダウンリンク制御チャネルによって決定される請求項１〜３のいずれか一項に記載の方法。
【請求項５】
前記アップリンクＦＤＤキャリアにおける前記アップリンク制御チャネルサブフレームに関するＨＡＲＱフィードバックを提供するための前記オフセット値ｋは、上位層構成済みエンティティから、又はダウンリンク制御チャネルによって決定される請求項３に記載の方法。
【請求項６】
前記アップリンクＦＤＤキャリアにおける前記アップリンク制御チャネルサブフレームに関するＨＡＲＱフィードバックは、ＴＤＤキャリアに対する空間サブフレームバンドリングに関係しない請求項１〜５のいずれか一項に記載の方法。
【請求項７】
アップリンク周波数分割複信（ＦＤＤ）キャリアにおけるアップリンク制御チャネルリソースのデータ伝送及び割り当てを行い、受信機がダウンリンクＦＤＤキャリアと時分割複信（ＴＤＤ）キャリアのキャリアアグリゲーションを使用してダウンリンクで送信されるデータに対するハイブリッド自動再送要求（ＨＡＲＱ）フィードバックを提供することを可能にする、無線ネットワークノードであって、
プログラム命令を記憶するメモリと、
前記メモリに接続されたプロセッサと、
を備え、
前記プロセッサにより実行されたときに、前記命令は前記無線ネットワークノードに、
前記ダウンリンクＦＤＤキャリアにおけるデータを送信するための各ダウンリンクサブフレームを前記アップリンクＦＤＤキャリアにおけるアップリンク制御チャネルサブフレームに関連付け、
前記ＴＤＤキャリアにおけるデータを送信するための各ダウンリンクサブフレーム及びスペシャルサブフレームを前記アップリンクＦＤＤキャリアにおけるアップリンク制御チャネルサブフレームに関連付け、
データを、前記ダウンリンクＦＤＤキャリア及びＴＤＤキャリアのうちの少なくとも１つの上で送信し、
前記受信機に割り当てられた前記アップリンクＦＤＤキャリアの前記アップリンク制御チャネルサブフレームにおけるスケジューリング要求リソース上で、前記送信データに関係するＨＡＲＱフィードバックを前記受信機から受信するようにし、
前記ダウンリンクＦＤＤキャリアにおける各ダウンリンクサブフレームの前記関連付け及び前記ＴＤＤキャリアにおける各ダウンリンクサブフレーム及びスペシャルサブフレームと前記アップリンクＦＤＤキャリアにおけるアップリンク制御チャネルサブフレームとの前記関連付けは、前記ダウンリンクＦＤＤキャリアに関係するＨＡＲＱフィードバックのみを含む前記アップリンクＦＤＤキャリアにおいて少なくとも１つのアップリンク制御チャネルサブフレームを生成し、空間バンドリングは、少なくとも１つのアップリンク制御チャネルサブフレーム内では実行されない、無線ネットワークノード。
【請求項８】
アップリンクＦＤＤキャリアにおけるアップリンク制御チャネルサブフレームで、ダウンリンク周波数分割複信（ＦＤＤ）キャリア及び時分割複信（ＴＤＤ）キャリアのキャリアアグリゲーションを使用してダウンリンクで受信されたデータに対するＨＡＲＱフィードバックを提供するための、受信機における方法であって、
ダウンリンクＦＤＤキャリアのダウンリンクデータチャネル上のサブフレーム及びＴＤＤキャリアのダウンリンクデータチャネル上のダウンリンクサブフレームのうちの少なくとも１つでデータを受信することと、
前記データが正しく受信されたことを決定することと、
シーケンス及び変調シンボルを選択するか、又は変調シンボルを選択して、ＨＡＲＱフィードバックを前記アップリンクＦＤＤキャリアの前記アップリンク制御チャネルサブフレーム内に形成することと、
前記受信されたデータに関係する前記ＨＡＲＱフィードバックを、前記アップリンクＦＤＤキャリアにおける前記アップリンク制御チャネルサブフレームにおけるスケジューリング要求リソース上で、送信することと、
を含み、
前記アップリンクＦＤＤキャリアの前記アップリンク制御チャネルサブフレームが前記ダウンリンクＦＤＤキャリアに関連するＨＡＲＱフィードバックのみを含むとき、空間バンドリングは、少なくとも１つのアップリンク制御チャネルサブフレーム内では実行されない、方法。
【請求項９】
前記アップリンクＦＤＤキャリアの前記アップリンク制御チャネルサブフレームが前記ダウンリンクＦＤＤキャリアとＴＤＤキャリアの両方のＨＡＲＱフィードバックを含むとき、空間バンドリングは、前記アップリンク制御チャネルサブフレーム内で実行される、請求項８に記載の方法。
【請求項１０】
データが正しく受信されたことを示す肯定応答（ＡＣＫ）と、データが正しく受信されていないことを示す否定応答（ＮＡＣＫ）とによって、前記ＨＡＲＱフィードバックは、前記データが正しく受信されたか否かを示す、請求項８又は９に記載の方法。
【請求項１１】
ｎ番目のダウンリンクサブフレームに対するＨＡＲＱフィードバックは、前記アップリンクＦＤＤキャリアの（ｎ＋ｋ）番目のアップリンク制御チャネルサブフレーム上で送信され、ここで、ｋは、オフセット値であり、ｎとｋは、正の整数である、請求項８乃至１０のいずれか１項記載の方法。
【請求項１２】
アップリンクＦＤＤキャリアにおけるアップリンク制御チャネルサブフレームで、ダウンリンク周波数分割複信（ＦＤＤ）キャリア及び時分割複信（ＴＤＤ）キャリアのキャリアアグリゲーションを使用してダウンリンクで受信されたデータに対するＨＡＲＱフィードバックを提供するための、通信デバイスであって、
プログラム命令を記憶するメモリと、
前記メモリに接続されたプロセッサと、
を備え、
前記プロセッサにより実行されたときに、前記命令は前記デバイスに、
ＦＤＤキャリアのダウンリンクデータチャネル上のダウンリンクサブフレーム及びＴＤＤキャリアのダウンリンクデータチャネル上のダウンリンクサブフレームのうちの少なくとも１つでデータを受信し、
前記データが正しく受信されたことを決定し、シーケンス及び変調シンボルを選択するか、又は変調シンボルを選択して、ＨＡＲＱフィードバックを前記アップリンクＦＤＤキャリアの前記アップリンク制御チャネルサブフレーム内に形成し、
前記受信されたデータに関係する前記ＨＡＲＱフィードバックを、前記アップリンクＦＤＤキャリアの前記アップリンク制御チャネルサブフレームにおけるスケジューリング要求リソース上で、送信するようにし、
前記アップリンクＦＤＤキャリアの前記アップリンク制御チャネルサブフレームが前記ダウンリンクＦＤＤキャリアに関連するＨＡＲＱフィードバックのみを含むとき、空間バンドリングは、少なくとも１つのアップリンク制御チャネルサブフレーム内では実行されない、通信デバイス。
【請求項１３】
前記アップリンクＦＤＤキャリアの前記アップリンク制御チャネルサブフレームが前記ダウンリンクＦＤＤキャリアとＴＤＤキャリアの両方のＨＡＲＱフィードバックを含むとき、空間バンドリングは、前記アップリンク制御チャネルサブフレーム内で実行される、請求項１２に記載のデバイス。
【請求項１４】
データが正しく受信されたことを示す肯定応答（ＡＣＫ）と、データが正しく受信されていないことを示す否定応答（ＮＡＣＫ）とによって、前記ＨＡＲＱフィードバックは、前記データが正しく受信されたか否かを示す、請求項１２又は１３に記載のデバイス。
【請求項１５】
ｎ番目のダウンリンクサブフレームに対するＨＡＲＱフィードバックは、前記アップリンクＦＤＤキャリアの（ｎ＋ｋ）番目のアップリンク制御チャネルサブフレーム上で送信され、ここで、ｋは、オフセット値であり、ｎとｋは、正の整数である、請求項１２乃至１４のいずれか１項記載のデバイス。
【請求項１６】
請求項７に記載の無線ネットワークノード及び請求項１２乃至１５のいずれか１項記載のデバイスを有する、無線通信システム。
【請求項１７】
実行されたときに、請求項８乃至１１のいずれか１項記載の方法のステップを実行する命令を含む、非一時的コンピュータ読取可能記憶媒体。
【発明の詳細な説明】
【技術分野】
【０００１】
本明細書で説明されている実装は、一般的に、無線ネットワークノード、無線ネットワークノードにおける方法、受信機、及び受信機における方法に関するものである。特に、本明細書では、ＦＤＤキャリアと少なくとも１つのＴＤＤキャリアとのアグリゲーションによって提供されるデータに対するＨＡＲＱフィードバックを使用可能にするためのメカニズムが説明されている。
【背景技術】
【０００２】
受信機、移動局、ワイヤレス端末、及び／又は携帯端末としても知られる、ユーザ機器（ＵＥ）は、ときにはセルラー無線システム又はワイヤレス通信ネットワークとも称される、ワイヤレス通信システムにおいてワイヤレス方式で通信することを可能にされる。通信は、例えば、無線アクセスネットワーク（ＲＡＮ）及び場合によっては１つ又は複数のコアネットワークを介して、ＵＥ同士の間、ＵＥと有線電話との間、及び／又はＵＥとサーバとの間で行われ得る。ワイヤレス通信は、音声、メッセージング、パケットデータ、ビデオ、ブロードキャストなどの様々な通信サービスを含み得る。
【０００３】
ＵＥ／受信機は、携帯電話、セルラー電話、コンピュータタブレット、又はワイヤレス機能を備えるラップトップなどともさらに称され得る。本発明の文脈におけるＵＥは、例えば、別のＵＥ又はサーバなどの、別のエンティティと、無線アクセスネットワークを介して、音声及び／又はデータを伝送することを可能にされた、ポータブル、ポケット収納可能、ハンドヘルド、コンピュータ搭載、又は車載のモバイルデバイスであってよい。
【０００４】
ワイヤレス通信システムは、いくつかのセルエリアに分割された地理的エリアをカバーし、各セルエリアは無線ネットワークノード、又は基地局、例えば、無線基地局（ＲＢＳ）又は基地トランシーバ局（ＢＴＳ）のサービスを受け、これらは、いくつかのネットワークにおいて、使用されている技術及び／又は用語に応じて、「ｅＮＢ」、「ｅＮｏｄｅＢ」、「ＮｏｄｅＢ」、若しくは「Ｂノード」と称され得る。
【０００５】
ときには、「セル」という表現は、無線ネットワークノードそれ自体を表すために使用され得る。しかしながら、セルは、通常の用語として、無線カバレッジが基地局サイトで無線ネットワークノードによって提供される地理的エリアでも使用され得る。基地局サイトに配置されている、１つの無線ネットワークノードは、１つ又は複数のセルにサービスを提供することができる。無線ネットワークノードは、それぞれの無線ネットワークノードの範囲内にあるＵＥと無線周波数で動作するエアーインターフェース上で通信することができる。
【０００６】
いくつかの無線アクセスネットワークにおいて、いくつかの無線ネットワークノードが、例えば、地上通信回線又はマイクロ波によって、例えば、ユニバーサルモバイル通信システム（ＵＭＴＳ）において、無線ネットワーク制御装置（ＲＮＣ）に接続され得る。例えば、ＧＳＭにおける、ときには基地局制御装置（ＢＳＣ）とも称される、ＲＮＣは、それに接続されている複数の無線ネットワークノードの様々な活動を監視し、調整することができる。ＧＳＭは、グローバルシステムフォーモバイルコミュニケーションズ（原語：Ｇｒｏｕｐｅ  Ｓｐｅｃｉａｌ  Ｍｏｂｉｌｅ）の略語である。
【０００７】
第３世代パートナーシッププロジェクト（３ＧＰＰ）ロングタームエボリューション（ＬＴＥ）／ＬＴＥアドバンストでは、ｅＮｏｄｅＢ又はｅＮＢと称され得る、無線ネットワークノードは、ゲートウェイ、例えば、無線アクセスゲートウェイに、１つ又は複数のコアネットワークに接続され得る。
【０００８】
本発明の文脈において、ダウンリンク（ＤＬ）、下流リンク、又はフォワードリンクは、無線ネットワークノードからＵＥへの伝送路に使用され得る。アップリンク（ＵＬ）、上流リンク、又はリバースリンクは、反対方向の、すなわち、ＵＥから無線ネットワークノードへの、伝送路に使用され得る。
【０００９】
さらに、同じ物理的通信媒体上で通信チャネルを順方向と逆方向とに分割するために、ワイヤレス通信システムで通信するときに、例えば、周波数分割複信（ＦＤＤ）及び／又は時分割複信（ＴＤＤ）などの、複信方法が適用され得る。ＦＤＤ方式は、アップリンク伝送とダウンリンク伝送との間の干渉を回避するために十分に分離されている周波数帯域上で使用される。ＴＤＤでは、アップリンク及びダウンリンクトラヒックは、同じ周波数帯域において、ただし、異なる時間間隔で、伝送される。したがって、アップリンク及びダウンリンクトラヒックは、場合によっては、アップリンク伝送とダウンリンク伝送との間にガード期間（ＧＰ）を置いて、ＴＤＤ伝送における時間次元で互いから分離されて伝送される。アップリンクとダウンリンクとの間の干渉を回避するために、同じエリア内の無線ネットワークノード及び／又はＵＥについて、異なるセル内の無線ネットワークノードとＵＥとの間のアップリンク及びダウンリンク伝送は、共通時間基準への同期を用いて、またアップリンク及びダウンリンクへの同じ割り振りのリソースの使用により、アラインメントされ得る。
【００１０】
従来技術のＬＴＥアドバンストシステムでは、キャリアアグリゲーションをサポートしており、無線ネットワークノード（ｅＮｏｄｅＢ）とＵＥとの間の通信は、ダウンリンク及び／又はアップリンクにおける複数のコンポーネントキャリアの同時使用により円滑にされる。コンポーネントキャリアは、ある周波数帯域内に周波数に関して連続して、又は不連続に配置され得るか、又は異なる周波数帯域内に配置されることすらあり得る。したがって、キャリアアグリゲーションは、ネットワーク事業者に対するスペクトル利用を改善し、より高いデータ転送速度が提供されることを可能にする。キャリアアグリゲーションはＦＤＤ及びＴＤＤの両方について定義されているけれども、従来技術のシステムのＵＥは、ＦＤＤ及びＴＤＤキャリア上で同時には動作せず、したがって、異なる複信方法でキャリアを利用するキャリアアグリゲーションはない。しかしながら、ネットワーク事業者は、ＦＤＤとＴＤＤの両方のキャリアを保有している場合があるので、この原理をＦＤＤ及びＴＤＤキャリアのキャリアアグリゲーションに拡張することが望ましい。
【００１１】
３ＧＰＰ  ＬＴＥなどの現代のワイヤレスシステムは、パケットベースの伝送を利用する。データパケットを受信した後、ＵＥは、ハイブリッド自動再送要求（ＨＡＲＱ）メッセージを無線ネットワークノードに送信する。これらのメッセージは、例えば、肯定応答（ＡＣＫ）又は否定応答（ＮＡＣＫ）を含み得る。新しいパケット伝送又はパケット再送は、その後、ＨＡＲＱフィードバックが得られた後に伝送部によって初期化され得る。ＨＡＲＱフィードバックシグナリングは、アップリンク伝送リソースを必要とし、未使用のアップリンクリソースは、例えば、代わりにユーザデータを送信するために利用され得るのでＨＡＲＱフィードバックに割り振られるべき時間周波数リソースの量を最小にすることが不可欠である。さらなる問題は、アップリンクリソースのセットを割り当てて、アップリンクリソースのコンフリクトがないことを保証すること、すなわち、各受信機／ＵＥが、ＨＡＲＱに対する一意的なアップリンクリソースのセットを割り当てられなければならないという点である。
【００１２】
ＨＡＲＱフィードバックは、物理ダウンリンク制御チャネル（ＰＤＣＣＨ）／エンハンストＰＤＣＣＨ（ＥＰＤＣＣＨ）によってスケジュールされる物理ダウンリンク共有チャネル（ＰＤＳＣＨ）、半永続的スケジューリング（ＳＰＳ）ＰＤＳＣＨ、又はＳＰＳ解放を指示するＰＤＣＣＨ／ＥＰＤＣＣＨに応答してＵＬで送信される。３つのフィードバック状態、ＡＣＫ、ＮＡＣＫ、及び間欠送信（ＤＴＸ）が使用され得る。ときには、ＮＡＣＫは、ＤＴＸと合併されて結合状態ＮＡＣＫ／ＤＴＸとなり得る。その場合、無線ネットワークノードは、ＮＡＣＫとＤＴＸとを区別することができず、スケジュールされたＰＤＳＣＨがあった場合、再送を実行する必要がある。これは、再送に対する増分冗長性を使用することをできなくもする。ＤＴＸは、ＵＥがＰＤＳＣＨを受信しなかった場合、例えば、送信されたＰＤＣＣＨ／ＥＰＤＣＣＨを受信し損なった場合、又は送信されたＰＤＣＣＨ／ＥＰＤＣＣＨ又はＰＤＳＣＨがなかった場合に、生じる間欠送信を指す。
【００１３】
したがって、ＦＤＤを適用するときに、無線フレームにおいて同じ数のアップリンク及びダウンリンクサブフレームが利用可能であるが、それは、ＨＡＲＱフィードバックが、各受信されたダウンリンクサブフレームに対するアップリンクサブフレームで提供され、またその逆も行われ得るからである。言い換えれば、すべてのダウンリンクサブフレームは、フィードバック生成のために特定の後のアップリンクサブフレームに関連付けられ得るが、ただし、この関連付けは一対一である、すなわち、各アップリンクサブフレームに対して、正確に１つのダウンリンクサブフレームが割り当てられるようになされる。しかしながら、ＴＤＤでは、アップリンク及びダウンリンクサブフレームの数は、例えば、図１Ａに示されているように、アップリンクサブフレームよりも多いダウンリンクサブフレームを含む、いくつかの構成においては異なり得る。
【００１４】
一般的に、データパケット（例えば、ＬＴＥではトランスポートブロック）が１つのサブフレームで送信されるので、ＴＤＤでは１つのＨＡＲＱメッセージが各ダウンリンクサブフレームに関連付けられる。これは、複数のダウンリンクサブフレームからのＨＡＲＱメッセージは、単一のアップリンクサブフレームで送信されることを必要とすることがあり得、これはＨＡＲＱに対する複数の一意的なアップリンクリソースの割り振りを必要とすることを暗示している。例えば、各アップリンクサブフレームに対して４つのダウンリンクサブフレームを含む、そのようなシナリオでは、受信器は、図１Ｂに示されているように、１つの単一のアップリンクサブフレームにおいて４つすべてのダウンリンクサブフレームに対するＨＡＲＱフィードバックを提供しなければならない。そうするときに、ＨＡＲＱフィードバックは、著しい量のアップリンク通信リソースを占有し得る。したがって、特にＴＤＤについては、アップリンクサブフレームが、多くのユーザに対する、複数のサブフレームからの、ＨＡＲＱメッセージを含み得る場合に、ネットワークノードが効率的なアップリンクリソース割り当てを行えることが不可欠である。これは、予約されているアップリンク制御チャネルリソースの量がデータ伝送に対する利用可能なリソースに影響を及ぼすので、無線フレームにおいてダウンリンクサブフレームよりも少ないアップリンクサブフレームがあるときに特に重要になる。
【００１５】
例えば、ＬＴＥアドバンストなどの、いくつかのアクセス技術において、キャリアアグリゲーションは、サービングセルのセット上での受信／送信によって実行されるものとしてよく、サービングセルは、少なくとも１つのＤＬコンポーネントキャリア及び場合によってはＵＬコンポーネントキャリアを備える。ここで、セルの概念は、幾何学的エリアを指し得ず、むしろ、論理的概念とみなされるべきである。ＵＥは、常に、一次サービングセル（ＰＣｅｌｌ）を備え、それに加えて二次サービングセル（ＳＣｅｌｌ）も備えるように構成される。物理アップリンク制御チャネル（ＰＵＣＣＨ）は、常に、ＰＣｅｌｌ上で送信される。
【００１６】
キャリアアグリゲーションに関して、１つの主要な問題は、アップリンクフィードバックに関わるものである。ダウンリンクキャリアアグリゲーションについて、ＵＥは、ダウンリンクにおける受信されたトランスポートブロックに対応するＡＣＫ及びＮＡＣＫメッセージを含む、一次セル上で送信されるＰＵＣＣＨでＨＡＲＱフィードバックを提供する。空間的多重化技術については、最大２つまでのトランスポートブロックが、コンポーネントキャリア上のダウンリンクサブフレームで送信され得る。ＦＤＤについては、各ダウンリンクサブフレームは、１つの一意的なアップリンクサブフレームに関連付けられるものとしてよく、ＰＵＣＣＨが送信される。ＴＤＤについては、ダウンリンクサブフレームの数は、アップリンクサブフレームの数よりも多いものとしてよく、したがって、いくつかのダウンリンクサブフレームが、１つの一意的なアップリンクサブフレームに関連付けられ得る。したがって、アップリンクサブフレームは、ＴＤＤにおけるＰＵＣＣＨで複数のダウンリンクサブフレームに対応するＨＡＲＱ情報を運ぶ必要があり得る。
【００１７】
したがって、ＴＤＤ及びＦＤＤのキャリアアグリゲーションでＨＡＲＱフィードバックに対してアップリンク伝送リソースを割り振ることは問題となり、リソースは、アップリンクリソースのオーバーレイをヘッド最小にしながら異なるサブフレームに対して一意的である。
【００１８】
ＬＴＥアドバンストにおいてＨＡＲＱフィードバックを運ぶことができるいくつかのＰＵＣＣＨシグナリングフォーマットが存在する。ＰＵＣＣＨフォーマットの一種は、４相位相シフトキーイング（ＱＰＳＫ）又は２相位相シフトキーイング（ＢＰＳＫ）変調シーケンス、すなわち、フォーマット１ａ／１ｂなどを利用する。複数の（最大４つまでの）シーケンス（すなわち、チャネル選択のあるフォーマット１ｂ）からの選択で拡張されたときに、４個のＨＡＲＱ−ＡＣＫビットが、伝達され得る。これらのフォーマットは、キャリアアグリゲーションがある場合とない場合の両方で使用され、最大２つまでのコンポーネントキャリアに対してＨＡＲＱフィードバックを提供することができ、これは、実際にＵＥの複雑さを考慮する最も実用的な事例である。ＰＵＣＣＨフォーマットの別の種類は、より多くのＨＡＲＱフィードバック（例えば、２０個のＨＡＲＱ−ＡＣＫビット）を運ぶことができるＤＦＴ拡散ＯＦＤＭ（すなわち、フォーマット３）である。ＵＥは、それがＰＵＣＣＨフォーマット３又はＰＵＣＣＨフォーマット１ｂベースのスキームを使用することができるかどうかに関係なく無線ネットワークノードによって構成される。しかしながら、ＰＵＣＣＨフォーマット３は、２つのコンポーネントキャリアのみがアグリゲーションされる場合には必要でないことがある。
【００１９】
ＴＤＤについては、フレーム構造は、通常のサブフレームに加えて、ダウンリンク伝送に対する第１の部分、ダウンリンクパイロットタイムスロット（ＤｗＰＴＳ）、ガード期間（ＧＰ）に対する第２の部分、及びアップリンク伝送に対する最後の部分、アップリンクパイロットタイムスロット（ＵｐＰＴＳ）を含むスペシャルサブフレームを備え、これについては図１Ｃを参照されたい。異なる部分の持続時間は、変化し、システムによって構成可能であるものとしてよい。
【００２０】
ダウンリンクサブフレームは、図１Ｄに示されており、アップリンクサブフレームは、図１Ｅに示されている。
【００２１】
したがって、ＴＤＤでは、Ｍ＝１、２、３、又は４のダウンリンクサブフレームは、アップリンクサブフレームに関連付けられ得る。各キャリア上で空間多重化を行うことにより２つのコンポーネントキャリアをアグリゲーションするために、最大４＊２＊２＝１６までのＨＡＲＱ−ＡＣＫビットが１つのサブフレーム内にあり得、これはチャネル選択のあるＰＵＣＣＨフォーマット１ｂを使用したのでは対応できない。したがって、様々な形態のＨＡＲＱ情報圧縮技術が、ＨＡＲＱ−ＡＣＫビットの数を減らすために利用される。例えば、ＨＡＲＱ−ＡＣＫビット間の論理ＡＮＤ演算が、サブフレーム内のトランスポートブロック間で（空間バンドリング）、サブフレームにまたがって（時間領域バンドリング）、又はコンポーネントキャリアにまたがってのいずれかで実行され得る。欠点は、バンドルされたＮＡＣＫがバンドル内のすべてのトランスポートブロックに対して再送が実行されなければならないことを暗示することである。したがって、その結果、スループットが低くなり、またスペクトル効率も低くなる。バンドリングは、主にＴＤＤに対する問題であるが、それは、ＦＤＤでは、多くても４つのＨＡＲＱ−ＡＣＫビットが受け入れられる必要があるからであり（空間多重化を有する２つのコンポーネントキャリアを仮定する）、これはバンドリングなしでチャネル選択のあるフォーマット１ｂで処理され得る。
【００２２】
ＴＤＤについては、コンポーネントキャリアは、７つのＵＬ−ＤＬ構成のうちの１つで構成され、無線フレーム内のサブフレームの送信方向を定義する。無線フレームは、ダウンリンクサブフレーム、アップリンクサブフレーム、及びスペシャルサブフレームを含む。スペシャルサブフレームは、ダウンリンク伝送に対する１つの部分、ガード期間、及びアップリンク伝送に対する１つの部分を含む。アップリンクサブフレームがＨＡＲＱフィードバックを送信することができる、ダウンリンクサブフレームの数Ｍは、ＴＤＤ  ＵＬ−ＤＬ構成、さらには特定アップリンクサブフレームのインデックスに依存する。実際、ＵＥ−ＵＥ間及びｅＮｏｄｅＢ−ｅＮｏｄｅＢ間の干渉を回避するために隣接セルにおいて同じＵＬ−ＤＬ構成が使用されなければならない。したがって、例えば、トラヒック負荷に適応するために、ＵＬ−ＤＬ構成を再構成することは簡単でない。しかしながら、ＬＴＥアドバンストでは、サブフレームの方向を動的に変更する可能性も許容する。これは、フレキシブルサブフレームとして表され得る。例えば、そのような動的サブフレーム方向変更を行えるＵＥに、セル特有のＵＬ−ＤＬ構成によるアップリンクサブフレームであってもダウンリンク伝送に対するサブフレームの利用する指示が与えられ得る。アップリンクサブフレームが、ダウンリンク伝送に対するフレキシブルサブフレームとして使用されている場合、セル特有のＵＬ−ＤＬ構成による対応するＨＡＲＱ情報に対する関連付けられているアップリンクサブフレームはなく、そのようなＵＥは、与えられたＵＬ−ＤＬ構成のと異なるＨＡＲＱタイミング（例えば、別の基準ＴＤＤ  ＵＬ−ＤＬ構成の）に従い得る。
【００２３】
ＰＤＣＣＨ／ＥＰＤＣＣＨは、ＰＤＳＣＨ伝送に関係するダウンリンク制御情報（ＤＣＩ）を含む。これは、例えば、ＨＡＲＱプロセス番号（ＦＤＤでは３ビット、及びＴＤＤでは４ビット）を含む。ＴＤＤについては、２ビットのダウンリンク割り当てインデックス（ＤＡＩ）もある。ダウンリンク割り当てを含むＤＣＩについては、ＤＡＩは、バンドリングウィンドウの現在のサブフレームまでの、割り当てられたＰＤＳＣＨ伝送（複数可）を有するＰＤＣＣＨ／ＥＰＤＣＣＨ及びＳＰＳ解放を指示するＰＤＣＣＨ／ＥＰＤＣＣＨの累積数を表すインクリメンタルカウンタとして働く。アップリンググラントを含むＤＣＩについては、ＤＡＩは、Ｍ個のダウンリンクサブフレームのバンドリングウィンドウにおいて送信されたＰＤＳＣＨ（複数可）及びＳＰＳ解放を指示するＰＤＣＣＨ／ＥＰＤＣＣＨを有するサブフレームの総数を指示する。ＤＡＩ情報により、ＵＥは、それがＰＤＳＣＨ又はＰＤＣＣＨ／ＥＰＤＣＣＨを（最後の１つを除いて）受信し損なったかどうか、それに対応してバンドルされているＡＣＫ又はＮＡＣＫを送信し得るかどうかを検出することができるものとしてよい。
【００２４】
チャネル選択のあるＰＵＣＣＨフォーマット１ｂでは、チャネルのセット（すなわち、シーケンス、又はＰＵＣＣＨリソース）は、ＵＥに対して予約され、ＨＡＲＱメッセージを符号化する一手段として、その後ＱＰＳＫシンボルで変調される、チャネルの１つを選択すると仮定する。最大４つまでのチャネルが予約されるとすると、多くても４つのＨＡＲＱ−ＡＣＫビット（すなわち、ＨＡＲＱ情報の１６個の一意的な状態）が提供され得る。ＰＵＣＣＨリソース予約は、ＰＤＣＣＨ／ＥＰＤＣＣＨによって占有される時間周波数リソースからＰＵＣＣＨリソースへのマッピングによって暗黙のうちに実行され得る。ＰＤＣＣＨ／ＥＰＤＣＣＨがＰＣｅｌｌ上に配置されているときに暗黙のリソース予約が使用され、いわゆるクロスキャリアスケジューリングによってＰＣｅｌｌ上又はＳＣｅｌｌ上のいずれかでＰＤＳＣＨをスケジューリングする。明示的なリソース予約は、ＰＤＣＣＨ／ＥＰＤＣＣＨがＳＣｅｌｌ上に配置されている場合、又はＰＤＣＣＨ／ＥＰＤＣＣＨがない、ＰＣｅｌｌ上でのＰＤＳＣＨのＳＰＳ伝送に対して、利用される。明示的なリソース予約については、ＰＤＣＣＨ／ＥＰＤＣＣＨにおける２ビットは、予約され得る１又は２上位層構成済みリソースを指示する。これらの２ビットは、ＰＵＣＣＨに関係する送信電力制御（ＴＰＣ）フィールドの２ビットを再利用することによって得られる。その結果、ＴＰＣコマンドは、ＰＤＣＣＨ／ＥＰＤＣＣＨがＳＣｅｌｌ上で送信されるときにＤＣＩにおいてシグナリングされ得ない。
【００２５】
ＴＤＤについて、４つのＨＡＲＱ−ＡＣＫビット（すなわち、１６個のＨＡＲＱ状態）のみを送信することができる場合、Ｍ＞１のときに２つのコンポーネントキャリアに対してＡＣＫ、ＮＡＣＫ、及びＤＴＣ状態のすべての組合せを表すことは可能でない。したがって、空間的バンドリングは、Ｍ＞１のときに使用される。しかしながら、Ｍ＞２のときに、空間バンドリングは十分でなく、時間領域バンドリングの一形態も実行され、Ｍ＝３及びＭ＝４について別々の表が与えられる。この場合の時間領域バンドリングは、連続するＡＣＫを有するサブフレームを表すＨＡＲＱ状態を優先順位付けし、そのような状態を一意的なチャネル及び変調の組合せに関連付けることに対応する。
【００２６】
アップリンクでは、ＵＥは、送信すべきアップリンクデータを有しているときにスケジューリング要求（ＳＲ）を送信することもできる。ＳＲは、上位層構成済みチャネル（すなわち、シーケンス又はＰＵＣＣＨリソース）上で提供され得る。ＱＰＳＫ変調を想定して、多くとも２つのビットがＳＲリソース上で伝達され得る。ＵＥが、ＳＲと一緒にＨＡＲＱ情報を送信することが想定されている場合、チャネル選択は実行され得ず、ＨＡＲＱ−ＡＣＫビットは、多くとも２つのバンドリングされたビットが残るようにバンドリングされる。これは結局、変調シンボル（すなわち、２ビットを表すＱＰＳＫシンボル）のみを選択し、それを割り振られたＳＲリソース上で送信することになる。ＦＤＤについて、これは、空間バンドリングによって円滑にされる。さらに、空間バンドリングは、２つの非バンドリングＨＡＲＱ−ＡＣＫビットが送信され得るとしてもサービングセル毎に１ＨＡＲＱ−ＡＣＫビットのみが送信されるように常に実行される。すなわち、ＳＣｅｌｌ（ＰＣｅｌｌ）上に伝送がなくても、空間バンドリングが、ＰＣｅｌｌ（ＳＣｅｌｌ）上のＨＡＲＱ−ＡＣＫビット上で実行される。これは、ＵＥが伝送をしくじったのに無線ネットワークノードが伝送を実行した（したがって、バンドリングされたＨＡＲＱ情報を期待している）場合を回避するものである。ＴＤＤについて、バンドリングは、すべてのトランスポートブロック、サブフレーム、及びコンポーネントキャリアの間のＡＣＫの数をフィードバックすることを含む。しかしながら、このバンドリングマッピングは、１０個のそのような状態が、バンドリングされているＨＡＲＱ−ＡＣＫビット２つのみに関連付けられているので、一意的でない。したがって、無線ネットワークノードは、正しく受信された伝送を決定することが容易にはできず、すべてのトランスポートブロックの再送に対する可能性は無視できない。
【００２７】
ＵＥにおける複雑さを最小にするために、チャネル選択のあるフォーマット１ｂによるＨＡＲＱフィードバックを利用して１つのＦＤＤキャリアと１つのＴＤＤキャリアのダウンリンクキャリアアグリゲーションをサポートすることは有益である。ＴＤＤに対するチャネル選択のあるＰＵＣＣＨフォーマット１ｂによる現在のＨＡＲＱフィードバックは、回避されるべき、特に結合フィードバック方法においてＦＤＤキャリアに対するバンドリングを導入することを回避するために、有意なＨＡＲＱバンドリングを伴う。
【００２８】
ＦＤＤキャリアとＴＤＤキャリアとに対する同時結合ＨＡＲＱフィードバックのための方法を定義することが問題になる。
【００２９】
スケジューリング要求（ＳＲ）がＨＡＲＱ情報とともに送信されるときにバンドリング量を減らすことがさらに問題となる。したがって、制御チャネルのオーバーヘッドと性能との間の妥当なトレードオフの関係があることを保証することが一般的な問題となる。
【発明の概要】
【発明が解決しようとする課題】
【００３０】
したがって、目的は、上述の不利な点のうちの少なくとも一部を取り除き、ワイヤレス通信システムにおける性能を改善することである。
【００３１】
この、及び他の目的は、付属の独立請求項の特徴によって達成される。さらなる実装形態は、従属請求項、説明、及び図から明らかである。
【課題を解決するための手段】
【００３２】
第１の態様によれば、アップリンク周波数分割複信（ＦＤＤ）キャリアにおけるアップリンク制御チャネルリソースのデータ伝送及び割り当てのための方法が、無線ネットワークノードにおいて提供され、これは受信機がダウンリンクＦＤＤキャリアと少なくとも１つの時分割複信（ＴＤＤ）キャリアのキャリアアグリゲーションを使用してダウンリンクで送信されるデータに対するハイブリッド自動再送要求（ＨＡＲＱ）フィードバックを提供することを可能にし、この方法は、ダウンリンクＦＤＤキャリアにおける各ダウンリンクサブフレームをアップリンクＦＤＤキャリアにおけるアップリンク制御チャネルサブフレームに関連付けることを含む。この方法は、また、ＴＤＤキャリアにおける各ダウンリンクサブフレーム及びスペシャルサブフレームをアップリンクＦＤＤキャリアにおけるアップリンク制御チャネルサブフレームに関連付けることも含む。それに加えて、この方法は、行われた関連付けに従って、アップリンクＦＤＤキャリアにおけるアップリンク制御チャネルリソースを受信機に割り当てることも含む。さらに、この方法は、また、前記ダウンリンクＦＤＤキャリア及び／又はＴＤＤキャリア上で、受信機によって受信されるべきデータを送信することも含む。
【００３３】
第１の態様による方法の第１の可能な実装において、ＴＤＤキャリアにおける各ダウンリンクサブフレーム及びスペシャルサブフレームは、アップリンクＦＤＤキャリアにおけるアップリンク制御チャネルサブフレームに一対一の関係で関連付けられる。
【００３４】
第１の態様による方法の第２の可能な実装において、ＴＤＤキャリアにおける各ダウンリンクサブフレーム及びスペシャルサブフレームは、アップリンクＦＤＤキャリアにおけるアップリンク制御チャネルサブフレームに多対一の関係で関連付けられる。
【００３５】
第１の態様による方法の第３の可能な実装、又は第１の態様による方法の前の可能な実装において、受信機は、シーケンス及び変調シンボルの選択、又は変調シンボルの選択によってＨＡＲＱフィードバックを提供し、アップリンクＦＤＤキャリアのアップリンクサブフレーム内にＨＡＲＱメッセージを形成することを可能にされ得る。
【００３６】
第１の態様による方法の第４の可能な実装、又は第１の態様による方法の前の可能な実装において、ＨＡＲＱ情報から変調シンボル及び／又はシーケンスへの関連付けマッピングは、キャリアの複信の方法から独立しているものとしてよい。
【００３７】
第１の態様による方法の第５の可能な実装、又は第１の態様による方法の前の可能な実装において、ダウンリンクＦＤＤキャリアにおける各ダウンリンクサブフレームの関連付け及びＴＤＤキャリアにおける各ダウンリンクサブフレーム及びスペシャルサブフレームとアップリンクＦＤＤキャリアにおけるアップリンク制御チャネルサブフレームとの関連付けは、ダウンリンクＦＤＤキャリアに関係するＨＡＲＱフィードバックのみを含むアップリンクＦＤＤキャリアにおいて少なくとも１つのアップリンクサブフレームを生成し得る。
【００３８】
第１の態様による方法の第６の可能な実装、又は第１の態様による方法の前の可能な実装において、ダウンリンクサブフレームｎに対するＨＡＲＱフィードバックは、アップリンクＦＤＤキャリア番号ｎ＋オフセット値ｋにおけるアップリンク制御チャネルサブフレーム上で送信され得る。
【００３９】
第１の態様による方法の第６の可能な実装による方法の第７の可能な実装において、オフセット値ｋは、４に設定され得る。
【００４０】
第１の態様による方法の第８の可能な実装、又は第１の態様による方法の前の可能な実装において、キャリアアグリゲーションは、１つのダウンリンクＦＤＤキャリアと２つのＴＤＤキャリアとを含み、２つのＴＤＤキャリアのダウンリンクサブフレーム及びスペシャルサブフレームの総数は、無線フレーム毎の、アップリンクＦＤＤキャリアにおけるアップリンクサブフレームの総数を超えない。
【００４１】
第１の態様による方法の第９の可能な実装、又は第１の態様による方法の前の可能な実装において、ＦＤＤキャリア及びＴＤＤキャリアに対するＨＡＲＱ情報から変調シンボル及びシーケンスへの関連付けマッピングは、ＦＤＤキャリア及び／又はＴＤＤキャリアに対する第３世代パートナーシッププロジェクト（３ＧＰＰ）ロングタームエボリューション（ＬＴＥ）アドバンスト規格３ＧＰＰ  ＴＳ３６．２１３において指定されているＦＤＤ及び／又はＴＤＤ  ＨＡＲＱ−ＡＣＫ手順に基づき得る。
【００４２】
第１の態様による方法の第１０の可能な実装、又は第１の態様による方法の前の可能な実装において、ＨＡＲＱ情報は、アップリンクＦＤＤキャリアのアップリンクにおいてスケジューリング要求リソース上で送信されるものとしてよく、空間バンドリングは、ダウンリンクＦＤＤキャリアとＴＤＤキャリアの両方のＨＡＲＱフィードバックについて割り当てられているアップリンクサブフレーム内で実行されるものとしてよく、空間バンドリングは、ダウンリンクＦＤＤキャリアのＨＡＲＱフィードバックについて割り当てられているアップリンクサブフレーム内では実行され得ない。
【００４３】
第１の態様による方法の第１１の可能な実装、又は第１の態様による方法の前の可能な実装において、アップリンクＦＤＤキャリア上のアップリンクサブフレームの種類は、上位層構成済みエンティティから、又はダウンリンク制御チャネルによって決定され得る。
【００４４】
第１の態様による方法の第１２の可能な実装、又は第１の態様による方法の前の可能な実装において、アップリンクＦＤＤキャリア上のアップリンクサブフレームに関するＨＡＲＱフィードバックを提供するためのオフセット値ｋは、上位層構成済みエンティティから、又はダウンリンク制御チャネルによって決定され得る。
【００４５】
第１の態様による方法の第１３の可能な実装、又は第１の態様による方法の前の可能な実装において、アップリンクＦＤＤキャリア上のアップリンクサブフレームに関するＨＡＲＱフィードバックは、ＴＤＤキャリアに対する空間サブフレームバンドリングに関係し得ない。
【００４６】
第１の態様による方法の第１４の可能な実装、又は第１の態様による方法の前の可能な実装において、アップリンクＦＤＤキャリアにおけるアップリンク制御チャネルサブフレームに関連付けられている、ＴＤＤキャリアにおけるサブフレームは、上位層構成済みエンティティから、又はダウンリンク制御チャネルによって決定され得る。
【００４７】
第１の態様による方法の第１５の可能な実装、又は第１の態様による方法の前の可能な実装において、ＴＤＤキャリアに関連付けられているダウンリンク制御チャネルにおけるダウンリンク制御情報（ＤＣＩ）は、ダウンリンク割り当てインデックス（ＤＡＩ）を含み得ない。
【００４８】
第１の態様による方法の第１６の可能な実装、又は第１の態様による方法の前の可能な実装において、ＴＤＤキャリアのダウンリンク制御チャネルにおけるＤＣＩは、事前定義された値を持つビットを含み得る。
【００４９】
第１の態様による方法の第１７の可能な実装、又は第１の態様による方法の前の可能な実装において、ＴＤＤキャリアのダウンリンク制御チャネルにおけるＤＣＩは、送信電力制御専用のビットを含み得る。
【００５０】
第１の態様による方法の第１８の可能な実装、又は第１の態様による方法の前の可能な実装において、送信データに関係する、ＨＡＲＱフィードバックは、受信機に割り当てられたアップリンクＦＤＤキャリアにおけるアップリンク制御チャネルリソース上で受信機から受信され得る。
【００５１】
第１の態様による方法の第１９の可能な実装、又は第１の態様による方法の前の可能な実装において、無線ネットワークノードは、（ＬＴＥ）システム内でエンハンストＮｏｄｅＢを含むものとしてよく、受信機は、ユーザ機器（ＵＥ）を含むものとしてよく、ダウンリンクサブフレームは、ダウンリンクＦＤＤキャリアにおける物理ダウンリンク共有チャネル（ＰＤＳＣＨ）を含むものとしてよく、ダウンリンクサブフレームは、ＴＤＤキャリアにおける物理ダウンリンク共有チャネル（ＰＤＳＣＨ）を含むものとしてよく、アップリンク制御チャネルサブフレームは、アップリンクＦＤＤキャリアにおける物理アップリンク制御チャネル（ＰＵＣＣＨ）を含むものとしてよい。
【００５２】
第２の態様において、無線ネットワークノードは、ダウンリンクＦＤＤキャリアにおけるアップリンク制御チャネルリソースのデータ伝送及び割り当てのために用意され、これにより、受信機がダウンリンクＦＤＤキャリア及び少なくとも１つのＴＤＤキャリアのキャリアアグリゲーションを使用してダウンリンクで送信されるデータに対するＨＡＲＱフィードバックを提供することを可能にする。無線ネットワークノードは、プロセッサを備え、このプロセッサはダウンリンクＦＤＤキャリアにおける各ダウンリンクサブフレームをアップリンクＦＤＤキャリアにおけるアップリンク制御チャネルサブフレームに関連付けるように構成され、また、ＴＤＤキャリアにおける各ダウンリンクサブフレーム及びスペシャルサブフレームをアップリンクＦＤＤキャリアにおけるアップリンク制御チャネルサブフレームに関連付けるようにも構成され、さらに、行われた関連付けに従って、アップリンクＦＤＤキャリアにおけるアップリンク制御チャネルリソースを受信機に割り当てるように構成される。さらに、無線ネットワークノードは、前記ダウンリンクＦＤＤキャリア及び／又はＴＤＤキャリア上で、受信機によって受信されるべきデータを送信するように構成された、送信機を備える。
【００５３】
第２の態様の第１の可能な実装において、プロセッサは、ＴＤＤキャリアにおける各ダウンリンクサブフレーム及びスペシャルサブフレームをアップリンクＦＤＤキャリアにおけるアップリンク制御チャネルサブフレームに一対一の関係で関連付けるようにさらに構成され得る。
【００５４】
第２の態様の第２の可能な実装において、プロセッサは、ＴＤＤキャリアにおける各ダウンリンクサブフレーム及びスペシャルサブフレームをアップリンクＦＤＤキャリアにおけるアップリンク制御チャネルサブフレームに多対一の関係で関連付けるようにさらに構成され得る。
【００５５】
第２の態様の第３の可能な実装、又は第２の態様の前の可能な実装において、無線ネットワークノードは、また、受信機に割り当てられたアップリンクＦＤＤキャリアにおけるアップリンク制御チャネルリソース上で、送信データに関係する、ＨＡＲＱフィードバックを受信機から受信するように構成された受信器を備え得る。
【００５６】
第３の態様によれば、アップリンクＦＤＤキャリアにおけるアップリンク制御チャネルリソースで、ダウンリンクＦＤＤキャリア及び少なくとも１つのＴＤＤキャリアのキャリアアグリゲーションを使用してダウンリンクで受信されたデータに対するＨＡＲＱフィードバックを提供するための方法が、受信機において提供され、この方法は、ダウンリンクＦＤＤキャリアのダウンリンクデータチャネル上のサブフレームで、及び／又はＴＤＤキャリアのダウンリンクデータチャネル上のダウンリンクサブフレームでデータを受信することを含む。また、方法は、データが正しく受信されたかどうかを決定することを含む。それに加えて、この方法は、シーケンス及び変調シンボルを選択するか、又は変調シンボルを選択して、正しく受信されていると決定されたデータに対してはＡＣＫ、正しく受信されていないと決定されたデータに対してはＮＡＣＫ、及び／又はデータが受信されていなかったことに対してはＤＴＸ、に対応するＨＡＲＱメッセージをアップリンクＦＤＤキャリアのアップリンクサブフレーム内に形成することと、選択されたシーケンス及び変調シンボル、又はＨＡＲＱメッセージ内の選択された変調シンボルを含む、受信されたデータに関係するＨＡＲＱフィードバックを、受信機に割り当てられているアップリンクＦＤＤキャリアにおけるアップリンク制御チャネルリソース上で、送信することをさらに含む。
【００５７】
第３の態様の第１の可能な実装において、ＨＡＲＱフィードバックは、シーケンス及び変調シンボルの選択、又は変調シンボルの選択によって提供され、アップリンクＦＤＤキャリアのアップリンクサブフレーム内にＨＡＲＱメッセージを形成する。
【００５８】
第３の態様の第２の可能な実装、又は第３の態様の前の実装において、ＨＡＲＱ情報からシーケンス及び変調シンボルへの関連付けマッピングは、キャリアの複信の方法から独立しているものとしてよい。
【００５９】
第３の態様の第３の可能な実装、又は第３の態様の前の実装において、キャリアアグリゲーションは、１つのダウンリンクＦＤＤキャリアと２つのＴＤＤキャリアとを含むものとしてよく、ダウンリンクサブフレーム及びスペシャルサブフレームの総数は、無線フレーム毎の、アップリンクＦＤＤキャリアにおけるアップリンクサブフレームの総数を超え得ない。
【００６０】
第３の態様の第４の可能な実装、又は第３の態様の前の実装において、ＦＤＤキャリア及びＴＤＤキャリアに対するＨＡＲＱ情報から変調シンボル及びシーケンスへの関連付けマッピングは、ＦＤＤキャリア及び／又はＴＤＤキャリアに対する３ＧＰＰ  ＬＴＥアドバンスト規格３ＧＰＰ  ＴＳ３６．２１３において指定されているＦＤＤ及び／又はＴＤＤ  ＨＡＲＱ−ＡＣＫ手順に基づき得る。
【００６１】
第３の態様の第５の可能な実装、又は第３の態様の前の実装において、ＨＡＲＱフィードバックは、アップリンクＦＤＤキャリアのアップリンクにおいてスケジューリング要求リソース上で送信されるものとしてよく、空間バンドリングは、ダウンリンクＦＤＤキャリアとＴＤＤキャリアの両方のＨＡＲＱフィードバックについて割り当てられているアップリンクサブフレーム内で実行されるものとしてよく、空間バンドリングは、ダウンリンクＦＤＤキャリアのＨＡＲＱフィードバックについて割り当てられているアップリンクサブフレーム内では実行され得ない。
【００６２】
第３の態様の第６の可能な実装、又は第３の態様の前の実装において、アップリンクＦＤＤキャリア上のアップリンクサブフレームの種類は、上位層構成済みエンティティから、又はダウンリンク制御チャネルによって決定され得る。
【００６３】
第３の態様の第７の可能な実装、又は第３の態様の前の実装において、無線ネットワークノードは、ＬＴＥシステム内でエンハンストＮｏｄｅＢを含むものとしてよく、受信機は、ユーザ機器（ＵＥ）を含むものとしてよく、ダウンリンクサブフレームは、ダウンリンクＦＤＤキャリアにおける物理ダウンリンク共有チャネル（ＰＤＳＣＨ）を含むものとしてよく、ダウンリンクサブフレームは、ＴＤＤキャリアにおける物理ダウンリンク共有チャネル（ＰＤＳＣＨ）を含むものとしてよく、アップリンク制御チャネルサブフレームは、アップリンクＦＤＤキャリアにおける物理アップリンク制御チャネル、ＰＵＣＣＨを含むものとしてよい。
【００６４】
第４の態様によれば、アップリンクＦＤＤキャリアにおけるアップリンク制御チャネルリソースで、ダウンリンクＦＤＤキャリア及び少なくとも１つのＴＤＤキャリアのキャリアアグリゲーションを使用してダウンリンクで受信されたデータに対するＨＡＲＱフィードバックを提供するための受信機が、実現される。受信機は、ＦＤＤキャリアのダウンリンクデータチャネル上のダウンリンクサブフレームで、及び／又はＴＤＤキャリアのダウンリンクデータチャネル上のダウンリンクサブフレームでデータを受信するように構成された、受信器を備える。さらに、受信機は、プロセッサを備え、このプロセッサはデータが正しく受信されたかどうかを決定するように構成され、また、シーケンス又は変調シンボルを選択して、正しく受信されていると決定されたデータに対してはＡＣＫ、正しく受信されていないと決定されたデータに対してはＮＡＣＫ、及び／又はデータが受信されていなかったことに対してはＤＴＸ、に対応するＨＡＲＱメッセージをアップリンクＦＤＤキャリアのアップリンクサブフレーム内に形成するようにも構成される。それに加えて、受信機は、選択されたシーケンス及び変調シンボル、又はＨＡＲＱメッセージ内の選択された変調シンボルを含む、受信されたデータに関係するＨＡＲＱフィードバックを、受信機に割り当てられているアップリンクＦＤＤキャリアにおけるアップリンク制御チャネルリソース上で、送信するように構成された、送信機を備える。
【００６５】
本明細書で説明されている態様のおかげで、ＦＤＤキャリア及び少なくとも１つのＴＤＤキャリア上で送信された信号のキャリアアグリゲーションによって送信されたデータに関するＨＡＲＱフィードバックを提供することが可能である。アップリンクＦＤＤキャリアに関するＨＡＲＱフィードバックを提供することによって、バンドリングの頻繁な使用、大きなＤＣＩフォーマット、及びＨＡＲＱフィードバックと一緒にスケジューリング要求をより頻繁に送信することなどの、ＴＤＤ  ＨＡＲＱフィードバックに関連する問題が回避される。それによって、バンドリングの量が低減され、延いてはエラーが検出されたときに再送されるデータが少なくて済む。したがって、ワイヤレス通信システム内に性能改善がもたらされる。
【００６６】
本発明の態様の他の目的、利点、及び新規性のある特徴は、次の詳細な説明から明らかになるであろう。
【００６７】
様々な実施形態が、添付図面を参照しつつより詳しく説明される。
【図面の簡単な説明】
【００６８】
【図１Ａ】従来技術によるＴＤＤサブフレームの図である。
【図１Ｂ】従来技術によるＴＤＤサブフレームの図である。
【図１Ｃ】従来技術によるＴＤＤ無線フレームを示すブロック図である。
【図１Ｄ】従来技術によるダウンリンクサブフレームを示すブロック図である。
【図１Ｅ】従来技術によるアップリンクサブフレームを示すブロック図である。
【図２】いくつかの実施形態によるワイヤレス通信システムを示すブロック図である。
【図３】いくつかの実施形態によるＴＤＤ／ＦＤＤにおける無線フレームを示すブロック図である。
【図４】いくつかの実施形態によるＴＤＤ／ＦＤＤにおける無線フレームを示すブロック図である。
【図５】一実施形態による無線ネットワークノードにおける方法を示す流れ図である。
【図６】一実施形態による無線ネットワークノードを示すブロック図である。
【図７】一実施形態による受信機における方法を示す流れ図である。
【図８】一実施形態による受信機を示すブロック図である。
【発明を実施するための形態】
【００６９】
本明細書で説明されている本発明の実施形態は、以下で説明されている実施形態において実現され得る無線ネットワークノードと無線ネットワークノードにおける方法、受信機と受信機における方法として定義される。しかしながら、これらの実施形態は、多くの異なる形態で例示され、実現されるものとしてよく、本明細書で述べられている例に限定されるべきでなく、むしろ、実施形態のこれらの図示されている例は、本開示が徹底して完全なものとなるように用意されている。
【００７０】
さらに他の目的及び特徴は、次の詳細な説明から、添付図面と併せて考察することで明らかになるであろう。しかしながら、図面は、もっぱら例示を目的として作られており、本明細書で開示されている実施形態の制限の定義として作られてはおらず、付属の請求項が参照されるべきであると理解されるべきである。さらに、図面は、必ずしも縮尺通りでなく、断りのない限り、本明細書で説明されている構造及び手順を概念的に示すことだけを意図している。
【００７１】
図２は、無線ネットワークノード１１０によるサービスを受ける、受信機１２０と通信する無線ネットワークノード１１０を備えるワイヤレス通信システム１００に関する概略図である。
【００７２】
ワイヤレス通信システム１００は、少なくとも部分的には、例えば、いくつか例を挙げると、３ＧＰＰ  ＬＴＥ、ＬＴＥアドバンスト、発展型ユニバーサル地上無線アクセスネットワーク（Ｅ−ＵＴＲＡＮ）、ユニバーサルモバイル通信システム（ＵＭＴＳ）、グローバルシステムフォーモバイルコミュニケーションズ（原語：Ｇｒｏｕｐｅ  Ｓｐｅｃｉａｌ  Ｍｏｂｉｌｅ）（ＧＳＭ）／ＧＳＭエボリューション用エンハンストデータレート（ＧＳＭ／ＥＤＧＥ）、広帯域符号分割多元接続（ＷＣＤＭＡ）、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、ワールドワイドインターオペラビリティフォーマイクロウェーブアクセス（ＷｉＭａｘ）、又はウルトラモバイルブロードバンド（ＵＭＢ）、高速パケットアクセス（ＨＳＰＡ）発展型ユニバーサル地上無線アクセス（Ｅ−ＵＴＲＡ）、ユニバーサル地上無線アクセス（ＵＴＲＡ）、ＧＳＭ  ＥＤＧＥ無線アクセスネットワーク（ＧＥＲＡＮ）、３ＧＰＰ２  ＣＤＭＡ技術、例えば、ＣＤＭＡ２０００  １ｘ  ＲＴＴ、及び高レートパケットデータ（ＨＲＰＤ）などの、無線アクセス技術に基づき得る。「ワイヤレス通信ネットワーク」、「ワイヤレス通信システム」、及び／又は「セルラー通信システム」という表現は、本開示の技術的文脈の範囲内で、ときには、交換可能に利用され得る。
【００７３】
ワイヤレス通信システム１００は、ダウンリンクにおいて、異なる実施形態により、周波数分割複信（ＦＤＤ）キャリア及び少なくとも１つの時分割複信（ＴＤＤ）キャリアのキャリアアグリゲーション用に構成され得る。
【００７４】
図２の例示の目的は、本明細書で説明されている無線ネットワークノード１１０及び受信機１２０などの、ワイヤレス通信システム１００並びに関わっている方法及びノード、並びに関わっている機能の簡略化された概要を述べることである。方法及びワイヤレス通信システム１００は、その後、非限定的な例として、３ＧＰＰ  ＬＴＥ／ＬＴＥアドバンスト環境において説明されるが、開示されている方法及びワイヤレス通信システム１００の実施形態は、例えば、上ですでに列挙されているものなどの、別のアクセス技術に基づいてもよい。したがって、本発明の実施形態は、３ＧＰＰ  ＬＴＥシステムに基づき、その専門用語を使用して説明され得るけれども、決して３ＧＰＰ  ＬＴＥに限定されない。
【００７５】
例示されているワイヤレス通信システム１００は、受信機１２０によって受信されるべき無線信号を送信し得る、無線ネットワークノード１１０を含む。
【００７６】
図２の１つの無線ネットワークノード１１０及び１つの受信機１２０の例示されているネットワーク設定は、一実施形態のみの非限定的な例とみなされるべきであることに留意されたい。ワイヤレス通信システム１００は、他の数の無線ネットワークノード１１０及び／又は受信機１２０、及び／又はそれらの組合せを含み得る。したがって、複数の受信機１２０、及び無線ネットワークノード１１０の別の構成は、開示されている発明のいくつかの実施形態に関わり得る。
【００７７】
そこで、「１つの（英語でｏｎｅ又はａ／ａｎ）」受信機１２０及び／又は無線ネットワークノード１１０が、本発明の文脈において参照される場合には必ず、いくつかの実施形態に従って、複数の受信機１２０及び／又は無線ネットワークノード１１０が関わり得る。
【００７８】
無線ネットワークノード１１０は、いくつかの実施形態により、ダウンリンク伝送用に構成されるものとしてよく、それぞれ、例えば、使用される無線アクセス技術及び／又は用語に応じて、例えば、基地局、ＮｏｄｅＢ、発展型Ｎｏｄｅ  Ｂ（ｅＮＢ、又はｅＮｏｄｅＢ）、基地トランシーバ局、アクセスポイント基地局、基地局ルーター、無線基地局（ＲＢＳ）、マイクロ基地局、ピコ基地局、フェムト基地局、ホームｅＮｏｄｅＢ、センサー、ビーコンデバイス、中継ノード、リピータ、又はワイヤレスインターフェース上で受信機１２０と通信するように構成された任意の他のネットワークノードとして参照され得る。
【００７９】
受信機１２０は、それに対応して、異なる実施形態及び異なる用語に従って、例えば、ユーザ機器（ＵＥ）、ワイヤレス通信端末、携帯電話、携帯情報端末（ＰＤＡ）、ワイヤレスプラットフォーム、移動局、タブレットコンピュータ、携帯型通信デバイス、ラップトップ、コンピュータ、中継局として働くワイヤレス端末、中継ノード、移動中継局、加入者宅内機器（ＣＰＥ）、固定ワイヤレスアクセス（ＦＷＡ）ノード、又は無線ネットワークノード１１０とワイヤレス方式で通信するように構成されている任意の他の種類のデバイスによって表され得る。
【００８０】
本発明のいくつかの実施形態は、（ＱＰＳＫ）変調シーケンスの選択によって、１つのＦＤＤキャリア及び少なくとも１つのＴＤＤキャリアのキャリアアグリゲーションに対するＨＡＲＱ情報伝送を行い、ＨＡＲＱメッセージを形成する、方法を定義し、ＨＡＲＱメッセージ内の各フィールドは、１つのトランスポートブロックに対応する。
【００８１】
ＴＤＤキャリアにおける各ダウンリンクサブフレーム及びスペシャルサブフレームは、ＦＤＤキャリアにおけるアップリンクサブフレームと一対一の関係で関連付けられるものとしてよく、ＴＤＤ及びＦＤＤキャリアに対するＨＡＲＱ情報伝送がサポートされる。しかしながら、いくつかの代替的実施形態によれば、ＴＤＤキャリアにおける各ダウンリンクサブフレーム及びスペシャルサブフレームは、ＦＤＤキャリアにおけるアップリンクサブフレームと多対一の関係で関連付けられるものとしてよく、ＴＤＤ及びＦＤＤキャリアに対するＨＡＲＱ情報伝送がサポートされる。
【００８２】
さらに、ＨＡＲＱ情報から変調シンボル及び／又はシーケンスへの関連付けマッピングは、キャリアのサブフレーム及び複信の方法に関係なく同じであってよい。それに加えて、ＨＡＲＱ情報は、ＦＤＤキャリア上で送信される。
【００８３】
方法は、いくつかの実施形態において１つのＦＤＤキャリア及び１つのＴＤＤキャリアのキャリアアグリゲーションに適用可能であるものとしてよい。方法は、また、１つのＦＤＤキャリア及び少なくとも２つのＴＤＤキャリアのキャリアアグリゲーションにも適用可能であるものとしてよく、無線フレームにおいてＴＤＤキャリアのダウンリンクサブフレーム及びスペシャルサブフレームの総数は、無線フレーム毎の、ＦＤＤキャリアにおけるアップリンクサブフレームの総数を超えない。
【００８４】
方法は、いくつかの実施形態では、ＬＴＥアドバンスト内で適用されるものとしてよく、表１、２、及び／又は３は、ＦＤＤキャリア及びＴＤＤキャリアに対するＨＡＲＱ情報から変調シンボル及び／又はシーケンスへの関連付けマッピングとして使用され得る。
【００８５】
方法は、１つのスケジューリング要求（ＳＲ）リソース上のＨＡＲＱ伝送に対して拡張されるものとしてよく、スケジューリング要求は、アップリンクＦＤＤキャリア上で送信される。
【００８６】
さらに、いくつかの実施形態では、スケジューリング要求リソースに関するＨＡＲＱフィードバックを送信するときに、空間バンドリングは、ダウンリンクＦＤＤキャリアとＴＤＤキャリアの両方のＨＡＲＱフィードバックについて定義されているアップリンクサブフレーム内で実行されるものとしてよく、その一方で、空間バンドリングは、アップリンクＦＤＤキャリアのＨＡＲＱフィードバックに対して定義されているアップリンクサブフレーム内では実行され得ない。
【００８７】
アップリンクＦＤＤキャリア上のアップリンクサブフレームの種類は、上位層構成済みエンティティ、例えば、ＴＤＤ  ＵＬ−ＤＬ構成若しくはビットマップから、又は異なる実施形態によるダウンリンク制御チャネルによって決定され得る。
【００８８】
ＴＤＤキャリアに対する関連付けられているＤＣＩフォーマットがＤＡＩを利用し得ない、例えば、ＤＡＩフィールドが存在していない場合の方法は、いくつかの実施形態では、事前定義済みの値に設定され得るか、又は電力制御ビットなどの他の目的に使用される。
【００８９】
図３は、いくつかの実施形態によるＴＤＤ／ＦＤＤにおける無線フレームに関する概略図である。図示されている例では、ＴＤＤアップリンク／ダウンリンク構成１に対して各々１０個のサブフレームを含む２つの無線フレームが図示されている。さらに、ＦＤＤアップリンク及びダウンリンク構成に対して各々１０個のサブフレームを含む２つの無線フレームがそれぞれ図示されている。
【００９０】
上側部分は、従来技術によるＬＴＥアドバンストにおけるＴＤＤキャリア２００のＨＡＲＱタイミングを示している。中間部分及び下側部分は、本発明の一例及びいくつかの実施形態においてＨＡＲＱがアップリンクＦＤＤキャリア３００上で送信され得るタイミングを示している。
【００９１】
ＴＤＤキャリア２００におけるＴＤＤ無線フレームは、ＴＤＤダウンリンクサブフレーム２１０、ＴＤＤスペシャルサブフレーム２２０、及びＴＤＤアップリンクサブフレーム２３０を含む。アップリンクＦＤＤキャリア３００は、アップリンクサブフレーム３１０を含むが、ダウンリンクＦＤＤキャリア３５０は、ダウンリンクサブフレーム３６０を含む。
【００９２】
ＴＤＤに対するＨＡＲＱフィードバックシグナリングは、ＦＤＤと比較して、空間、コンポーネントキャリア、及び時間領域のバンドリングが頻繁に使用されるような、多くの問題点を有している。これは、不要なデータ再送が発生し得るので、システムのスペクトル効率を低下させるものとして知られている。この低下は、特に、バンドリングされるＨＡＲＱフィードバックが適用される伝送におけるチャネル間の相関が低いときに生じる。例えば、セル間干渉及びチャネルフェージングは、サブフレーム間で、又はコンポーネントキャリア間で完全に異なり、サブフレーム及びキャリアバンドリングに対する損失を引き起こし得る。さらに、ＤＣＩフォーマットは、ＴＤＤについては大きい。より大きいＤＣＩフォーマットは、制御チャネルのカバレッジを減少させ、それによって、ＴＤＤとＦＤＤとの間のキャリアアグリゲーションが使用され得る実行可能領域が低減される。さらに、ＴＤＤについては、無線フレーム内のアップリンクサブフレームが少なく、このことは、スケジューリング要求が、ＨＡＲＱフィードバックも運ぶアップリンクサブフレームで送信される確率を高める。しかしながら、スケジューリング要求及びＨＡＲＱフィードバックの連結伝送は、著しい量のＨＡＲＱバンドリングに依存し、このことが性能を低下させる。
【００９３】
したがって、ＦＤＤ及びＴＤＤキャリアアグリゲーションに対する結合ＨＡＲＱフィードバックをサポートする際に、キャリアのうちの１つがＴＤＤを使用するというだけで不要なバンドリング（又はより大きなＤＣＩサイズ）を導入しないことが望ましい。その代わりに、いくつかの実施形態では、ＦＤＤ  ＨＡＲＱメカニズムのより多くを組み込むことが好ましいことが理解されるが、これはバンドリングに大幅に依存することはない。
【００９４】
ＨＡＲＱ情報をバンドリングすることを回避するために、ＴＤＤキャリア２００とダウンリンクＦＤＤキャリア３５０の両方に対してＭの値を１サブフレームに制限することは有益であり得るが、その結果、１コンポーネントキャリア当たりのＨＡＲＱビットは多くても２つになる。したがって、いくつかの実施形態の１つの特有の特徴は、ＴＤＤキャリア２００における各ダウンリンクサブフレーム２１０又はスペシャルサブフレーム２２０が、ＰＵＣＣＨを含む、アップリンクＦＤＤキャリア３００におけるアップリンクサブフレーム３１０と一対一の関係で関連付けられることであるものとしてよい。そのような一対一の関係は、サブフレームｎで受信されたＰＤＳＣＨ（又はＳＰＳ解放を指示するＰＤＣＣＨ／ＥＰＤＣＣＨ）に対するサブフレームｎ＋ｋにおけるＰＵＣＣＨに関するＨＡＲＱフィードバックを送信することによって円滑にされ得る。オフセット値ｋは、サブフレーム依存である、すなわち、ｎに依存し得る。その一方で、これは、固定されていてもよく、例えば、従来技術においてＦＤＤに使用される値であるｋ＝４であってよい。したがって、このタイミングは、ＴＤＤキャリア２００にも適用されるものとしてよく、ダウンリンクサブフレーム３６０番号ｎに対して既存の対応するアップリンクサブフレーム３１０が常にあるので、アップリンクＦＤＤキャリア３００上でＰＵＣＣＨが送信される場合に可能である。アップリンクサブフレームを決定するために一対一の関係を使用する利点の１つは、ＴＤＤキャリアに対応するＨＡＲＱフィードバックがアップリンクＦＤＤキャリアにおいて可能な限り多くのサブフレーム上に分散される点であるものとしてよい。すなわち、これは、ＴＤＤキャリアの複数のサブフレームのＨＡＲＱフィードバックをアップリンクＦＤＤキャリアにおける少数のサブフレームに集中させることを回避する。これは、ＰＵＣＣＨ負荷をサブフレーム間でより均等にし、フェージングディップ及び厳しい時間干渉変動などの突発的チャネル障害に対するロバスト性をもたらすので有益である。
【００９５】
可能な一実施形態において、一対一マッピングは、ｋの事前定義された値によって取得され得る。事前定義された値は、例えば、サブフレームインデックス、ＴＤＤ  ＵＬ−ＤＬ構成、及びアグリゲートキャリアの数に依存し得る。別の実施形態では、一対一マッピングは、上位層構成によって取得され得る。
【００９６】
しかしながら、ＴＤＤキャリア２００における各ダウンリンクサブフレーム２１０又はスペシャルサブフレーム２２０は、代替的に、ＰＵＣＣＨを含む、アップリンクＦＤＤキャリア３００におけるアップリンクサブフレーム３１０と多対一の関係で関連付けられ得ることに留意されたい。したがって、複数のＴＤＤダウンリンクサブフレーム２１０及び／又はスペシャルサブフレーム２２０は、いくつかの代替的実施形態において、アップリンクＦＤＤキャリア３００における１つのアップリンクサブフレーム３１０に関連付けられ得る。
【００９７】
図３はさらに、ＵＬ−ＤＬ構成１を使用する２つのＴＤＤの無線フレームの一例を示しており、上側矢印は、従来技術によるＬＴＥアドバンストのＴＤＤキャリア２００のＨＡＲＱタイミングを示している。中間部分では、ＴＤＤキャリア２００における各ダウンリンクサブフレーム２１０及び／又はスペシャルサブフレーム２２０が一対一マッピングでのダウンリンクＦＤＤキャリア３５０の場合と同じＨＡＲＱタイミングでアップリンクＦＤＤキャリア３００におけるアップリンクサブフレーム３１０に関連付けられている一実施形態の一例が示されている。しかしながら、他の一対一マッピング及び／又は多対一マッピングも、異なる実施形態で可能であり得る。下側部分には、ダウンリンクＦＤＤキャリア３５０に対するＨＡＲＱタイミングが図示されている。
【００９８】
図３から、ダウンリンクＦＤＤキャリア３５０からのＨＡＲＱフィードバックのみを含み得るアップリンクＦＤＤキャリア３００、すなわち、アグリゲートキャリアのうちの１つのみにいくつかのアップリンクサブフレーム３１０が存在し得ることに留意されたい。これは、ＦＤＤキャリアの従来技術のキャリアアグリゲーションとは対照的であり、そこでは、ＦＤＤキャリアにおけるすべてのアップリンクサブフレームは、両方のＦＤＤキャリアに対するフィードバックを含み得る。
【００９９】
表１、２、及び３は、それぞれ、２、３、及び４つのＨＡＲＱフィールドに対する、ＨＡＲＱ状態からチャネル（ＰＵＣＣＨリソース）及びＱＰＳＫシンボルのビット値へのＦＤＤにおけるマッピングを示している。表１は、各々１つのトランスポートブロックを含む２つのコンポーネントキャリアをアグリゲートすることに対して適用される。表２は、２つのコンポーネントキャリアをアグリゲートすることに対して適用され、１つのコンポーネントキャリアは、２つのトランスポートブロックを含み、１つのコンポーネントキャリアは、１つのトランスポートブロックを含む。表３は、各々２つのトランスポートブロックを含む２つのコンポーネントキャリアをアグリゲートすることに対して適用される。表１、２、及び３は、複数の特性を示すように構成され、ＨＡＲＱバンドリングはなく（すなわち、各ＨＡＲＱ−ＡＣＫフィールドは、１つのトランスポートブロックに関連付けられている）、暗黙のリソース予約がサポートされ（すなわち、暗黙のリソースは、ＤＴＸにおけるＨＡＲＱ状態に関連付けられていない）、ＰＣｅｌｌ上でスケジュールされたＰＤＳＣＨのみがあるときに（すなわち、ＳＣｅｌｌがＤＴＸ状態にある）、チャネル選択は無効化され（１つのチャネルのみが使用される、すなわち、
【０１００】
（外１）
0006532912.tif 000002
）、シグナリングはＰＵＣＣＨフォーマット１ｂに帰着する。
【０１０１】
【表１】
0006532912.tif 000003
表１
【０１０２】
表１は、２つのチャネルを使用するＨＡＲＱメッセージの伝送に対する符号化を示している。
【０１０３】
【表２】
0006532912.tif 000004
表２
【０１０４】
表２は、３つのチャネルを使用するＨＡＲＱメッセージの伝送に対する符号化を示している。
【０１０５】
【表３】
0006532912.tif 000005
表３
【０１０６】
表３は、４つのチャネルを使用するＨＡＲＱメッセージの伝送に対する符号化を示している。
【０１０７】
本明細書のいくつかの実施形態の利点は、ＦＤＤキャリアに対するＨＡＲＱ−ＡＣＫのみが送信されるべきであるサブフレームに対して表１、２、及び３が使用される場合に、この状況は、ＴＤＤキャリア２００に対するＨＡＲＱフィールドがそのようなアップリンクサブフレームに対する（ＤＴＸ、ＤＴＸ）であってよいということに等しいことである。表１、２、及び３を調べると、このことは、ＰＵＣＣＨフォーマット１ｂを使用することに帰着することがわかる（すなわち、ＦＤＤシステムにおいて定義されている同じフォールバック操作）。したがって、すでに定義されているのと同じＨＡＲＱフィードバック性能を保証しつつ、受信機１２０にすでに実装されているＨＡＲＱフィードバックメカニズムが、ＦＤＤ及びＴＤＤキャリアのキャリアアグリゲーションに再利用され得ることはこの方法の利点である。
【０１０８】
さらに、下のＨＡＲＱ−ＡＣＫマッピング表が実現可能であることが理解されるものとしてよく、上述の符号化は、例にすぎない。例えば、従来技術のＬＴＥアドバンストシステムは、適用可能であり得るＴＤＤシステムに対する類似の表も含む。特に、いかなる形態のバンドリングをも包含しないＭ＝１に対応する表があり、これはＦＤＤ及びＴＤＤキャリアのキャリアアグリゲーションに対しても適用可能であるものとしてよい。
【０１０９】
一対一の関係を仮定すると、一実施形態において、ＨＡＲＱフィードバックバンドリングの使用は、ＴＤＤについてもシーケンス及び変調シンボルへのＨＡＲＱ状態のＦＤＤに対する関連付けマッピングを使用することによって排除され得ることは理解されるものとしてよい。一実施形態では、表１、２、及び３は、ＨＡＲＱフィードバックに利用されるものとしてよく、１つのコンポーネントキャリアで、ＦＤＤを使用し、１つのコンポーネントキャリアで、ＴＤＤを使用する。一例では、ＦＤＤキャリアは、ＰＣｅｌｌであってよい。別の例では、ＦＤＤキャリアは、ＳＣｅｌｌであってよい。例えば、本発明の実施形態では、表３を適用し、ＨＡＲＱ−ＡＣＫ（０）及びＨＡＲＱ−ＡＣＫ（１）をＦＤＤキャリアに関連付け、ＨＡＲＱ−ＡＣＫ（２）及びＨＡＲＱ−ＡＣＫ（３）をＴＤＤキャリアに関連付けることが可能である。別の例では、一実施形態による発明は、表３を適用し、ＨＡＲＱ−ＡＣＫ（０）及びＨＡＲＱ−ＡＣＫ（１）をＴＤＤキャリアに関連付け、ＨＡＲＱ−ＡＣＫ（２）及びＨＡＲＱ−ＡＣＫ（３）をＦＤＤキャリアに関連付けることが可能である。当業者であれば、他のＨＡＲＱマッピング表から類似の例を作成することができる。したがって、本発明の一実施形態において、ＨＡＲＱ情報から変調シンボル及び／又はシーケンスへの関連付けマッピングは、キャリアのサブフレーム及び複信の方法に関係なく同じであってよい。
【０１１０】
しかしながら、他の実施形態では、ＦＤＤアップリンクサブフレーム３１０へのＴＤＤキャリア２００のダウンリンクサブフレーム（複数可）２１０及び／又はスペシャルサブフレーム（複数可）２２０の間の多対一の関係が確立され得る。したがって、ＨＡＲＱフィードバックバンドリングは、それらの実施形態に従って利用され得る。
【０１１１】
図４は、２つの無線フレーム（各々１０個のサブフレーム）、及びＴＤＤ  ＵＬ／ＤＬ構成０（上）２００、ＴＤＤ  ＵＬ−ＤＬ構成１（中）２５０、及びＴＤＤ  ＵＬ／ＤＬ  ＦＤＤキャリア３００、３５０（下）を使用するキャリアアグリゲーションに対するＨＡＲＱタイミングの一例を示している。
【０１１２】
さらに、いくつかの実施形態は、１つのダウンリンクＦＤＤキャリア３５０と複数のＴＤＤキャリア２００、２５０とのキャリアアグリゲーションに適用可能であるものとしてよく、その場合、ＴＤＤキャリア２００のすべてのダウンリンクサブフレーム２１０及びスペシャルサブフレーム２２０を一意的なＦＤＤアップリンクサブフレーム３１０にリンクすることが可能であることも理解され得る。これは、典型的には、無線フレーム毎のＴＤＤキャリア２００、２５０のダウンリンクサブフレーム２１０及びスペシャルサブフレーム２２０の総数が、無線フレーム毎のＦＤＤアップリンクサブフレーム３１０の数を超えない場合に実現可能である。図４は、ＴＤＤ  ＵＬ−ＤＬ構成０を使用する１つのＴＤＤキャリア２００が、ダウンリンクＦＤＤキャリア３５０と一緒に、ＴＤＤ  ＵＬ−ＤＬ構成１を使用して別のＴＤＤキャリア２５０とアグリゲートされる一例を示している。これは、アップリンクサブフレーム３１０が、多くても２つのキャリアからのＨＡＲＱ−ＡＣＫビットを含むことを確実にする。したがって、例えば、表１、２、及び／又は３を利用することが可能である、すなわち、バンドリングは完全に回避され得る。これは、従来技術とは対照的であり、そこでは、チャネル選択のあるＰＵＣＣＨフォーマット１ｂは、２つのコンポーネントキャリアのアグリゲーションのみをサポートする。
【０１１３】
複数のＴＤＤキャリア２００、２５０とのキャリアアグリゲーションをサポートすることに対するさらなる制約は、ＨＡＲＱ往復時間遅延が、システム内に現在ある遅延から減少し得ないという点である。これは、キャリアの数とそのそれぞれのＴＤＤ  ＵＬ−ＤＬ構成との組合せに制限を課す可能性がある。例えば、いくつかの実施形態においてＴＤＤキャリア２００、２５０のサブフレーム２１０、２２０、２３０に対してｋ≧４であることが要求され得る。
【０１１４】
説明されている方法のさらなる一態様は、スケジューリング要求及びＨＡＲＱフィードバックの結合伝送を含む。ＴＤＤに対して従来技術のＬＴＥアドバンストシステムにおいて実行されるバンドリング操作（空間、サブフレーム、コンポーネントキャリア）を回避することが望ましい場合がある。ＴＤＤキャリア２００、２５０におけるダウンリンクサブフレーム２１０とアップリンクＦＤＤキャリア３００におけるアップリンクサブフレーム３１０との間に一対一の関係がある場合、いくつかの実施形態においてダウンリンクＦＤＤキャリア３５０からのＨＡＲＱ情報のみを含むように定義され得るアップリンクＦＤＤキャリア３００における少なくとも１つのアップリンクサブフレーム３１０があり得ることが理解される。しかしながら、他の代替的実施形態では、ＴＤＤキャリア２００、２５０におけるダウンリンクサブフレーム２１０とアップリンクＦＤＤキャリア３００におけるアップリンクサブフレーム３１０との間に多対一の関係があり得る。しかしながら、いくつかのそのような実施形態では、ダウンリンクＦＤＤキャリア３５０からのＨＡＲＱ情報のみを含むように定義され得るアップリンクＦＤＤキャリア３００において少なくとも１つのアップリンクサブフレーム３１０があり得る。
【０１１５】
次に、アップリンクＦＤＤキャリア３００上で２種類のアップリンクサブフレーム３１０が定義される。ダウンリンクＦＤＤキャリア３５０及びＴＤＤキャリア２００、２５０の両方のＨＡＲＱフィードバックに対して定義されているアップリンクサブフレーム３１０と、ダウンリンクＦＤＤキャリア３５０のみのＨＡＲＱフィードバックに対して定義されているアップリンクサブフレーム３１０とがある。この実施形態は、図３に例示されている。
【０１１６】
アップリンクサブフレームが、ＦＤＤキャリアのみのＨＡＲＱフィードバックに対して定義されている場合、多くても２つのＨＡＲＱ−ＡＣＫビット（２つのトランスポートブロックの伝送を仮定する）は、スケジューリング要求と一緒にシグナリングされる必要がある。アップリンクサブフレームが、ＦＤＤ及びＴＤＤの両方のキャリアのＨＡＲＱフィードバックに対して定義されている場合、潜在的に最大４つまでのＨＡＲＱ−ＡＣＫビット（キャリア毎に２ビット）は、スケジューリング要求と一緒にシグナリングされる必要があり、これはバンドリングなしでは可能でない。そのような２種類のアップリンクサブフレームがある場合、アップリンクサブフレームの種類は、いくつかの実施形態により、受信機１２０と無線ネットワークノード１１０の両方に知らされる必要があり得る。
【０１１７】
一実施形態において、アップリンクサブフレームの種類は、ＴＤＤ  ＵＬ−ＤＬ構成、並びにＴＤＤキャリア２００、２５０の各ダウンリンクサブフレーム２１０及びスペシャルサブフレーム２２０に対する指定されたＨＡＲＱタイミングから決定され得る。
【０１１８】
さらに、いくつかの実施形態では、フレキシブルサブフレームの使用が企図される。それらの実施形態によれば、伝送方向、すなわち、アップリンク／ダウンリンクは、例えば、ちょうどそのときに無線トラヒック需要に適応するように構成可能／再構成可能であるものとしてよい。本発明の一実施形態では、アップリンクＦＤＤキャリア３００上のアップリンクサブフレーム３１０の種類は、上位層無線リソース制御（ＲＲＣ）シグナリングエンティティに従って決定され得る。このエンティティは、基準ＴＤＤ  ＵＬ−ＤＬ構成（例えば、ＴＤＤ  ＵＬ−ＤＬ構成２又はＴＤＤ  ＵＬ−ＤＬ構成５）の形態をとるものとしてよく、アップリンクサブフレームの種類は、基準ＴＤＤ  ＵＬ−ＤＬ構成、並びにＴＤＤキャリア２００、２５０の各ダウンリンクサブフレーム２１０及びスペシャルサブフレーム２２０に対する指定されたＨＡＲＱタイミングから決定され得る。さらなる例では、ＲＲＣエンティティはビットマップを含むものとしてよく、このビットマップ内のエントリがＴＤＤキャリア２００、２５０上の関連付けられているサブフレームが前の実施形態による一対一又は多対一の関係でアップリンクＦＤＤキャリア３００におけるアップリンクサブフレーム３１０にリンクされるべきかどうかを指示する。シグナリングのこの形態の利点は、上位層ＲＲＣシグナリングが信頼できるものであり、したがってアップリンクサブフレームの種類に関して受信機１２０と無線ネットワークノード１１０との間に曖昧な点がないことであるものとしてよい。
【０１１９】
別の例では、ＴＤＤ  ＵＬ−ＤＬ構成は、ダウンリンク制御チャネル（例えば、ＰＤＣＣＨ又はＥＰＤＣＣＨ）によってシグナリングされるものとしてよく、これはＴＤＤキャリア２００、２５０上でサブフレーム２１０、２２０、２３０上の可能な方向を決定するために使用され得る。アップリンクサブフレームの種類は、基準ＴＤＤ  ＵＬ−ＤＬ構成、並びにＴＤＤキャリア２００、２５０の各ダウンリンクサブフレーム２１０及びスペシャルサブフレーム２２０に対する指定されたＨＡＲＱタイミングから決定され得る。この情報は、ダウンリンク制御インジケータ（ＤＣＩ）内のフィールドによって直接指示され得る。そのようなＤＣＩフィールドは、１つ又は複数の上位層構成済み基準ＴＤＤ  ＵＬ−ＤＬ構成又はビットマップに関係し得る。例えば、ＤＣＩ内のそのような２つのビットは、４つの状態に対応する。そのような各状態は、４つの上位層構成済みＴＤＤ  ＵＬ−ＤＬ構成又はビットマップに対応する可能性がある。この種類の動的シグナリングの利点は、フレキシブルサブフレームが必要に応じてダウンリンクサブフレームとして使用されるだけなので空間バンドリングをさらに回避することができるという点であり、もし空間バンドリングがあると、ＨＡＲＱ伝送に対するアップリンクＦＤＤキャリア３００上でアップリンクサブフレーム３１０をリンクしていなければならない時間の割合が縮小され、延いては、例えば、スケジューリング要求リソースに関するＨＡＲＱ−ＡＣＫフィードバックに対する、バンドリングが必要になる。
【０１２０】
一実施形態は、ダウンリンクＦＤＤキャリア３５０及びＴＤＤキャリア２００、２５０の両方のＨＡＲＱフィードバックに対して定義されているアップリンクサブフレームに関係する。次いで、この方法は、空間多重化がキャリア上で使用されるときに、コンポーネントキャリア内で空間バンドリングすることと、スケジューリング要求リソース上で空間バンドリングされたＨＡＲＱ−ＡＣＫビットを送信することを含み得る。これは、ＨＡＲＱメッセージを２ビットに縮小し（１サービングセルに１ビット）、したがって、いかなる形態のサブフレーム又はコンポーネントキャリアバンドリングも回避され、これはＨＡＲＱ情報圧縮が縮小されるときに従来技術のＬＴＥアドバンストシステムに比べて利点となり、システム効率の増加をもたらす。
【０１２１】
別の実施形態は、ダウンリンクＦＤＤキャリア３５０のみのＨＡＲＱフィードバックに対して定義されているアップリンクサブフレームに関係する。この場合、多くても２つのＨＡＲＱ−ＡＣＫビットがフィードバックされる必要があり得ることは理解される（空間多重化を仮定する）。しかしながら、従来技術のシステムとは対照的に、ＱＰＳＫシンボルは２ビットを運ぶことができるので、この場合に空間バンドリングを実行する必要はない。方法は、スケジューリング要求リソース上で（非バンドリング）ＨＡＲＱ−ＡＣＫビットを送信することを含み得る。
【０１２２】
ＴＤＤキャリア２００、２５０上のサブフレーム（２１０、２２０、２３０）が、多対一の関係でアップリンクＦＤＤキャリア３００のアップリンクサブフレーム３１０に関するＨＡＲＱフィードバックに関連付けられている他の実施形態において、この方法は、バンドリングされたスケジューリング要求リソース上でＨＡＲＱ−ＡＣＫビットを送信することを含み得る。
【０１２３】
さらに、ＰＵＣＣＨが、ＦＤＤキャリア上で送信されること、並びにＴＤＤキャリア２００、２５０の各ダウンリンクサブフレーム２１０及びスペシャルサブフレーム２２０に対してアップリンクＦＤＤキャリア３００上に一意的なアップリンクサブフレーム３１０があることを仮定すると（例えば、ＴＤＤキャリアのＨＡＲＱタイミングがＦＤＤキャリアに追随することによって定義され得る）、ＤＣＩにおけるダウンリンク割り当てインデックス（ＤＡＩ）ビットは、ＴＤＤキャリア２００、２５０上でデータをスケジューリングするために必要ではあり得ない。これは、ＴＤＤキャリアにおけるダウンリンク伝送を含む各サブフレームが、それらの実施形態において、アップリンクＦＤＤキャリアにおける１つの一意的なサブフレームに対応することで理解される。一実施形態では、ＴＤＤキャリア２００、２５０上のＰＤＳＣＨ伝送に関係するＤＣＩフォーマットは、どのＤＡＩビットも利用し得ない。ＤＡＩの存在は、無線ネットワークノード１１０によって予め決定されているか、又は構成され得る。したがって、ＴＤＤキャリアに対するＤＣＩサイズを縮小することが可能であり、これにより、システム内のシグナリングオーバーヘッドが軽減され、制御チャネルの信頼性が改善される、すなわち、キャリアアグリゲーションが実行され得るサービスエリアが広がる。
【０１２４】
別の例示的な実施形態において、ＤＡＩビットは、他の目的に使用される。例えば、これらは、追加の誤り検出、すなわち、仮想巡回冗長検査（ＣＲＣ）ビットとして働くように所定の値に設定され得る。これは、ＰＤＣＣＨ／ＥＰＤＣＣＨを受信する信頼性を改善する。これらは、送信電力制御（ＴＰＣ）コマンドにも使用され得る。これは、いくつかの実施形態において、ＴＰＣコマンドがＳＣｅｌｌ上で送信されるＰＤＣＣＨ／ＥＰＤＣＣＨからでも発行され得るので、ＰＵＣＣＨ電力制御を改善し得る。
【０１２５】
さらに、ＦＤＤでは、ＨＡＲＱ往復時間は、８サブフレームである、すなわち、ダウンリンク伝送から、同じＨＡＲＱプロセスの送信／再送が行われるまでに８つのサブフレームを要する。したがって、８つのＨＡＲＱプロセスが、ＦＤＤに対して定義される。ＴＤＤについては、ＨＡＲＱプロセスの最大数は、ＵＬ−ＤＬ構成に依存し、４から１５まで変化する。これは、ＴＤＤでは、ＨＡＲＱタイミングに対してｋ≧４であることによる。それは、これが通信システムの応答時間を短縮し、待ち時間を少なくするので、ＨＡＲＱ往復時間遅延が最小にされ得る場合に利点となる。しかしながら、ＬＴＥアドバンストにおいてＴＤＤに使用されるものに比べてより小さいｋの値を使用することが可能であることが理解され得る。この結果、ＨＡＲＱ往復時間は短縮されるものとしてよく、それにより、より小さい最大数のＨＡＲＱプロセスを使用することが可能になり得る。その場合、ＤＣＩにおけるＨＡＲＱプロセス番号の中のビットの数は低減され得る。同様に、ビットの数はそのままであってよいが、それらのビットのうちのいくつかのみが使用されるものとしてよく、例えば、最上位ビットが、事前定義された値に設定され得る。
【０１２６】
いくつかの実施形態により、キャリアアグリゲーションが行われ、コンポーネントキャリアは、最大４つまでのＨＡＲＱ−ＡＣＫビットを伝達することができるＨＡＲＱフィードバック方法に対して異なる複信モードで配備される。
【０１２７】
図５は、ワイヤレス通信システム１００内の無線ネットワークノード１１０における方法５００の実施形態を示す流れ図である。方法５００は、アップリンクＦＤＤキャリア３００におけるアップリンク制御チャネルリソース３１０のデータ伝送及び割り当てを行い、これにより、受信機１２０がダウンリンクＦＤＤキャリア３５０及び少なくとも１つのＴＤＤキャリア２００のキャリアアグリゲーションを使用してダウンリンクで送信されるデータに対するＨＡＲＱフィードバックを提供することを可能にすることを目的とする。
【０１２８】
無線ネットワークノード１１０は、発展型ＮｏｄｅＢ（ｅＮｏｄｅＢ）を含み得る。ワイヤレス通信ネットワーク１００は、第３世代パートナーシッププロジェクトロングタームエボリューション（３ＧＰＰ  ＬＴＥ）に基づくものとしてよい。さらに、ワイヤレス通信システム１００は、異なる実施形態では、ＦＤＤ又はＴＤＤに基づくものとしてよい。受信機１２０は、ユーザ機器（ＵＥ）を含み得る。ダウンリンクサブフレーム３６０は、ダウンリンクＦＤＤキャリア３５０における物理ダウンリンク共有チャネル（ＰＤＳＣＨ）を含み得る。ダウンリンクサブフレーム２１０は、ＴＤＤキャリア２００における物理ダウンリンク共有チャネル（ＰＤＳＣＨ）を含み得る。アップリンク制御チャネルサブフレーム３１０は、アップリンクＦＤＤキャリア３００における物理アップリンク制御チャネル（ＰＵＣＣＨ）を含み得る。
【０１２９】
受信機１２０は、シーケンス及び変調シンボルの選択、又は変調シンボルの選択によってＨＡＲＱフィードバックを提供し、アップリンクＦＤＤキャリア３００のアップリンクサブフレーム３１０内にＨＡＲＱメッセージを形成することを可能にされる。ダウンリンクサブフレーム２１０、３６０  ｎに対するＨＡＲＱフィードバックは、アップリンクＦＤＤキャリア３００番号ｎ＋オフセット値ｋにおけるアップリンク制御チャネルサブフレーム３１０上で送信され得る。オフセット値ｋは、いくつかの実施形態では、４に設定され得る。
【０１３０】
さらに、アップリンクＦＤＤキャリア３００上のアップリンクサブフレーム３１０に関するＨＡＲＱフィードバックを提供するためのオフセット値ｋは、上位層構成済みエンティティから、又はダウンリンク制御チャネルによって決定され得る。
【０１３１】
キャリアアグリゲーションは、いくつかの実施形態では、１つのダウンリンクＦＤＤキャリア３５０と２つのＴＤＤキャリア２００、２５０とを含むものとしてよく、２つのＴＤＤキャリア２００、２５０のダウンリンクサブフレーム２１０及びスペシャルサブフレーム２２０の総数は、無線フレーム毎の、アップリンクＦＤＤキャリア３００におけるアップリンクサブフレーム３１０の総数を超えない。
【０１３２】
アップリンクＦＤＤキャリア３００上のアップリンクサブフレーム３１０の種類は、上位層構成済みエンティティから、又はダウンリンク制御チャネルによって決定され得る。
【０１３３】
ＴＤＤキャリア２００に関連付けられているダウンリンク制御チャネルにおけるダウンリンク制御情報（ＤＣＩ）は、ダウンリンク割り当てインデックス（ＤＡＩ）を含まない。ＴＤＤキャリア２００のダウンリンク制御チャネルにおけるＤＣＩは、事前定義された値を持つビットを含み得る。ＴＤＤキャリア２００のダウンリンク制御チャネルにおけるＤＣＩは、いくつかの実施形態では、送信電力制御専用のビットを含み得る。
【０１３４】
アップリンク制御チャネルのデータ伝送及び割り当てを適切に行うために、方法５００は、多数のアクション５０１〜５０５を含み得る。
【０１３５】
しかしながら、説明されているアクション５０１〜５０５のうちの任意のもの、いくつか、又はすべてが、列挙で指示しているのといくぶん異なる時間順序で実行されるか、同時に実行されるか、又は異なる実施形態による完全に反転された順序で実行されることすらあり得ることに留意されたい。いくつかのアクションは、例えば、アクション５０５などの、いくつかの代替的実施形態の範囲内で実行され得る。さらに、いくつかのアクションは、異なる実施形態により複数の代替的方式で実行され得ること、及びいくつかのそのような代替的方式は、いくつかの、ただし必ずしもすべてではない、実施形態の範囲内でのみ実行され得ることに留意されたい。方法５００は、次のアクションを含み得る。
アクション５０１
【０１３６】
ダウンリンクＦＤＤキャリア３５０における各ダウンリンクサブフレーム３６０が、アップリンクＦＤＤキャリア３００におけるアップリンク制御チャネルサブフレーム３１０に関連付けられる。
【０１３７】
ＨＡＲＱ情報から変調シンボル及び／又はシーケンスへの関連付けマッピングは、キャリアの複信の方法から独立している。
【０１３８】
ダウンリンクＦＤＤキャリア３５０における各ダウンリンクサブフレーム３６０とアップリンクＦＤＤキャリア３００におけるアップリンク制御チャネルサブフレーム３１０との一対一の関係による関連付けは、いくつかの実施形態においてダウンリンクＦＤＤキャリア３５０に関係するＨＡＲＱフィードバックのみを含むアップリンクＦＤＤキャリア３００における少なくとも１つのアップリンクサブフレーム３１０を生成し得る。
【０１３９】
ＦＤＤキャリア３００、３５０及びＴＤＤキャリア２００に対するＨＡＲＱ情報から変調シンボル及びシーケンスへの関連付けマッピングは、いくつかの実施形態において、ＦＤＤキャリア３００、３５０及び／又はＴＤＤキャリア２００に対する３ＧＰＰ  ＬＴＥアドバンスト規格３ＧＰＰ  ＴＳ３６．２１３において指定されているＦＤＤ及び／又はＴＤＤ  ＨＡＲＱ−ＡＣＫ手順に基づき得る。
アクション５０２
【０１４０】
ＴＤＤキャリア２００における各ダウンリンクサブフレーム２１０及びスペシャルサブフレーム２２０が、アップリンクＦＤＤキャリア３００におけるアップリンク制御チャネルサブフレーム３１０に関連付けられる。
【０１４１】
いくつかの実施形態によれば、ＴＤＤキャリア２００における各ダウンリンクサブフレーム２１０及びスペシャルサブフレーム２２０は、アップリンクＦＤＤキャリア３００におけるアップリンク制御チャネルサブフレーム３１０に一対一の関係で関連付けられ得る。
【０１４２】
しかしながら、いくつかの代替的実施形態では、ＴＤＤキャリア２００における各ダウンリンクサブフレーム２１０及びスペシャルサブフレーム２２０は、アップリンクＦＤＤキャリア３００におけるアップリンク制御チャネルサブフレーム３１０に多対一の関係で関連付けられ得る。
【０１４３】
ＴＤＤキャリア２００における各ダウンリンクサブフレーム２１０及びスペシャルサブフレーム２２０とアップリンクＦＤＤキャリア３００におけるアップリンク制御チャネルサブフレーム３１０との関連付けは、ダウンリンクＦＤＤキャリア３５０に関係するＨＡＲＱフィードバックのみを含むアップリンクＦＤＤキャリア３００における少なくとも１つのアップリンクサブフレーム３１０を生成し得る。
【０１４４】
いくつかの実施形態によれば、ＴＤＤキャリア２００におけるサブフレーム２１０、２２０、２３０は、一対一の関係で、又は代替的に、多対一の関係で、アップリンクＦＤＤキャリア３００におけるアップリンク制御チャネルサブフレーム３１０と関連付けられるものとしてよく、ＴＤＤキャリアにおける前記サブフレーム２１０、２２０、２３０は、上位層構成済みエンティティから、又はダウンリンク制御チャネルによって決定され得る。
アクション５０３
【０１４５】
アップリンクＦＤＤキャリア３００におけるアップリンク制御チャネルリソース３１０は、行われた関連付け５０１、５０２に従って、受信機１２０に割り当てられる。
【０１４６】
ＨＡＲＱ情報は、アップリンクＦＤＤキャリア３００のアップリンク３１０においてスケジューリング要求リソース上で送信されるものとしてよく、空間バンドリングは、ダウンリンクＦＤＤキャリア３５０とＴＤＤキャリア２００の両方のＨＡＲＱフィードバックについて割り当てられている（５０３）アップリンクサブフレーム３１０内で実行され、空間バンドリングは、ダウンリンクＦＤＤキャリア３５０のＨＡＲＱフィードバックについて割り当てられている（５０３）アップリンクサブフレーム３１０内では実行されない。
【０１４７】
アップリンクＦＤＤキャリア３００上のアップリンクサブフレーム３１０に関するＨＡＲＱフィードバックは、いくつかの実施形態では、ＴＤＤキャリア２００に対する空間サブフレームバンドリングに関係し得ない。
アクション５０４
【０１４８】
受信機１２０によって受信されるべきデータは、前記ダウンリンクＦＤＤキャリア３５０及び／又はＴＤＤキャリア２００上で送信される。
アクション５０５
【０１４９】
このアクションは、いくつかの、ただしすべてではない、実施形態の範囲内で実行され得る。
【０１５０】
ＨＡＲＱフィードバックは、受信機１２０に割り当てられた（５０３）アップリンクＦＤＤキャリア３００におけるアップリンク制御チャネルリソース３４０上で、送信（５０４）データに関係する、受信機１２０から受信され得る。
【０１５１】
図６は、ワイヤレス通信システム１００に含まれる無線ネットワークノード１１０の一実施形態を例示している。無線ネットワークノード１１０は、前に説明されている方法のアクション５０１〜５０５のうちの少なくとも一部を実行するように構成され、これらのアクションは、アップリンクＦＤＤキャリア３００におけるアップリンク制御チャネルリソース３１０のデータ伝送及び割り当てを行い、これにより、受信機１２０がダウンリンクＦＤＤキャリア３５０及び少なくとも１つのＴＤＤキャリア２００のキャリアアグリゲーションを使用してダウンリンクで送信されるデータに対するＨＡＲＱフィードバックを提供できるようにする。
【０１５２】
無線ネットワークノード１１０は、発展型ＮｏｄｅＢ（ｅＮｏｄｅＢ）を含み得る。ワイヤレス通信ネットワーク１００は、第３世代パートナーシッププロジェクトロングタームエボリューション（３ＧＰＰ  ＬＴＥ）に基づくものとしてよい。さらに、ワイヤレス通信システム１００は、異なる実施形態では、ＦＤＤ又はＴＤＤに基づくものとしてよい。受信機１２０は、ユーザ機器（ＵＥ）を含み得る。ダウンリンクサブフレーム３６０は、ダウンリンクＦＤＤキャリア３５０における物理ダウンリンク共有チャネル（ＰＤＳＣＨ）を含み得る。ダウンリンクサブフレーム２１０は、ＴＤＤキャリア２００における物理ダウンリンク共有チャネル（ＰＤＳＣＨ）を含み得る。アップリンク制御チャネルサブフレーム３１０は、アップリンクＦＤＤキャリア３００における物理アップリンク制御チャネル（ＰＵＣＣＨ）を含み得る。
【０１５３】
無線ネットワークノード１１０は、プロセッサ６２０を備え、このプロセッサはダウンリンクＦＤＤキャリア３５０における各ダウンリンクサブフレーム３６０をアップリンクＦＤＤキャリア３００におけるアップリンク制御チャネルサブフレーム３１０に関連付けるように構成され、また、ＴＤＤキャリア２００における各ダウンリンクサブフレーム２１０及びスペシャルサブフレーム２２０をアップリンクＦＤＤキャリア３００におけるアップリンク制御チャネルサブフレーム３１０に関連付けるようにも構成され、さらに、行われた関連付けに従って、アップリンクＦＤＤキャリア３００におけるアップリンク制御チャネルリソース３１０を受信機１２０に割り振るように構成される。
【０１５４】
プロセッサ６２０は、いくつかの実施形態において、ＴＤＤキャリア２００における各ダウンリンクサブフレーム２１０及びスペシャルサブフレーム２２０をアップリンクＦＤＤキャリア３００におけるアップリンク制御チャネルサブフレーム３１０に一対一の関係で関連付けるように構成され得る。
【０１５５】
いくつかの代替的実施形態では、プロセッサ６２０は、ＴＤＤキャリア２００における各ダウンリンクサブフレーム２１０及びスペシャルサブフレーム２２０をアップリンクＦＤＤキャリア３００におけるアップリンク制御チャネルサブフレーム３１０に多対一の関係で関連付けるように構成され得る。
【０１５６】
そのようなプロセッサ６２０は、処理回路の１つ又は複数のインスタンス、すなわち、中央演算処理装置（ＣＰＵ）、処理ユニット、処理回路、プロセッサ、特定用途向け集積回路（ＡＳＩＣ）、マイクロプロセッサ、又は命令を解釈し、実行することができる他の処理ロジックを含み得る。したがって、本明細書で使用されている「プロセッサ」という表現は、例えば、上に列挙されているもののうちのどれか、いくつか、又はすべてなどの、複数の処理回路を含む処理回路を表し得る。
【０１５７】
しかしながら、いくつかの実施形態では、無線ネットワークノード１１０及び／又はプロセッサ６２０は、関連付けユニットを備えるものとしてよく、この関連付けユニットはダウンリンクＦＤＤキャリア３５０における各ダウンリンクサブフレーム３６０をアップリンクＦＤＤキャリア３００におけるアップリンク制御チャネルサブフレーム３１０に関連付けるように構成される。また、この関連付けユニットは、ＴＤＤキャリア２００における各ダウンリンクサブフレーム２１０及びスペシャルサブフレーム２２０をアップリンクＦＤＤキャリア３００におけるアップリンク制御チャネルサブフレーム３１０に関連付けるようにも構成され得る。それに加えて、いくつかの実施形態では、無線ネットワークノード１１０及び／又はプロセッサ６２０は、割り当てユニットを備えるものとしてよく、この割り当てユニットは行われた関連付け５０１、５０２に従って、アップリンクＦＤＤキャリア３００におけるアップリンク制御チャネルリソース３１０を受信機１２０に関連付けるように構成される。
【０１５８】
さらに、無線ネットワークノード１１０は、ダウンリンクＦＤＤキャリア３５０及び／又はＴＤＤキャリア２００上で、受信機１２０によって受信されるべきデータを送信するように構成された、送信機６３０を備える。送信機６３０は、ワイヤレス信号を受信機／ユーザ機器１２０に送信するように構成され得る。
【０１５９】
また、無線ネットワークノード１１０は、受信機１２０に割り当てられたアップリンクＦＤＤキャリア３００におけるアップリンク制御チャネルリソース３１０上で受信機１２０から送信データに関係するＨＡＲＱフィードバックを受信するように構成された受信器６１０を備え得る。
【０１６０】
無線ネットワークノード１１０におけるそのような受信器６１０は、受信機／ユーザ機器１２０又はいくつかの実施形態によるワイヤレスインターフェース上でワイヤレス通信を行うように構成された任意の他のエンティティからワイヤレス信号を受信するように構成され得る。
【０１６１】
それに加えて、いくつかの実施形態により、無線ネットワークノード１１０は、いくつかの実施形態では、無線ネットワークノード１１０内に少なくとも１つのメモリ６２５も備え得る。オプションのメモリ６２５は、データ又はプログラム、すなわち、命令シーケンスを、一時的に又は永久的に記憶するために利用される物理的デバイスを備え得る。いくつかの実施形態によれば、メモリ６２５は、シリコンベースのトランジスタを備える集積回路を含み得る。さらに、メモリ６２５は、揮発性又は不揮発性メモリとすることができる。
【０１６２】
無線ネットワークノード１１０において実行されるべきアクション５０１〜５０５は、アクション５０１〜５０５の機能を実行するためのコンピュータプログラム製品と一緒に無線ネットワークノード１１０において１つ又は複数のプロセッサ６２０を通じて実装され得る。
【０１６３】
そこで、コンピュータプログラムは、アクション５０１〜５０５のうちのどれかにより方法５００を実行するためのプログラムコードを含み、コンピュータプログラムが無線ネットワークノード１１０におけるプロセッサ６２０にロードされたときに、アップリンクＦＤＤキャリア３００におけるアップリンク制御チャネルリソース３１０のデータ伝送及び割り当てを行い、これにより、受信機１２０がダウンリンクＦＤＤキャリア３５０及び少なくとも１つのＴＤＤキャリア２００のキャリアアグリゲーションを使用してダウンリンクで送信されるデータに対するＨＡＲＱフィードバックを提供することを可能にする。
【０１６４】
上述のコンピュータプログラム製品は、例えば、プロセッサ６２０にロードされるときにいくつかの実施形態によりアクション５０１〜５０５のうちの少なくともいくつかを実行するためのコンピュータプログラムコードを運ぶデータキャリアの形態で提供され得る。データキャリアは、例えば、ハードディスク、ＣＤ  ＲＯＭディスク、メモリスティック、光記憶装置デバイス、磁気記憶装置デバイス、又は非一時的な方式で機械可読データを保持することができるディスク若しくはテープなどの任意の他の適切な媒体であってよい。さらに、コンピュータプログラム製品は、サーバ上のコンピュータプログラムコードとして提供され、無線ネットワークノード１１０に、例えば、インターネット又はイントラネット接続を介してダウンロードされ得る。
【０１６５】
図７は、ワイヤレス通信システム１００内の受信機１２０における方法７００の実施形態を示す流れ図である。方法７００は、アップリンクＦＤＤキャリア３００におけるアップリンク制御チャネルリソース３１０で、ダウンリンク周波数分割複信（ＦＤＤ）キャリア３５０及び少なくとも１つの時分割複信（ＴＤＤ）キャリア２００のキャリアアグリゲーションを使用してダウンリンクで受信されたデータに対するＨＡＲＱフィードバックを提供することを目的とする。
【０１６６】
受信機１２０は、ユーザ機器（ＵＥ）を含み得る。無線ネットワークノード１１０は、発展型ＮｏｄｅＢ（ｅＮｏｄｅＢ）を含み得る。ワイヤレス通信ネットワーク１００は、第３世代パートナーシッププロジェクトロングタームエボリューション（３ＧＰＰ  ＬＴＥ）に基づくものとしてよい。さらに、ワイヤレス通信システム１００は、異なる実施形態では、ＦＤＤ又はＴＤＤに基づくものとしてよい。ダウンリンクサブフレーム３６０は、ダウンリンクＦＤＤキャリア３５０における物理ダウンリンク共有チャネル（ＰＤＳＣＨ）を含み得る。ダウンリンクサブフレーム２１０は、ＴＤＤキャリア２００における物理ダウンリンク共有チャネル（ＰＤＳＣＨ）を含み得る。アップリンク制御チャネルサブフレーム３１０は、アップリンクＦＤＤキャリア３００における物理アップリンク制御チャネル（ＰＵＣＣＨ）を含み得る。
【０１６７】
キャリアアグリゲーションは、１つのダウンリンクＦＤＤキャリア３５０と２つのＴＤＤキャリア２００、２５０とを含むものとしてよく、ダウンリンクサブフレーム２１０及びスペシャルサブフレーム２２０の総数は、無線フレーム毎の、アップリンクＦＤＤキャリア３００におけるアップリンクサブフレーム３１０の総数を超えない。
【０１６８】
ＨＡＲＱフィードバックを適切に提供するために、方法７００は、多数のアクション７０１〜７０４を含み得る。
【０１６９】
しかしながら、説明されているアクション７０１〜７０４のうちの任意のもの、いくつか、又はすべてが、列挙で指示しているのといくぶん異なる時間順序で実行されるか、同時に実行されるか、又は異なる実施形態による完全に反転された順序で実行されることすらあり得ることに留意されたい。さらに、いくつかのアクションは、異なる実施形態により複数の代替的方式で実行され得ること、及びいくつかのそのような代替的方式は、いくつかの、ただし必ずしもすべてではない、実施形態の範囲内でのみ実行され得ることに留意されたい。方法７００は、次のアクションを含み得る。
アクション７０１
【０１７０】
ダウンリンクＦＤＤキャリア３５０のダウンリンクデータチャネル上のサブフレーム３６０で、及び／又はＴＤＤキャリア２００のダウンリンクデータチャネル上のダウンリンクサブフレーム２１０でデータが受信される。
アクション７０２
【０１７１】
データが正しく受信された（７０１）かどうかが決定される。
アクション７０３
【０１７２】
正しく受信されている（７０１）と決定された（７０２）データに対しては肯定応答（ＡＣＫ）、正しく受信されていない（７０１）と決定された（７０２）データに対しては否定応答（ＮＡＣＫ）、及び／又はデータが受信されていなかった（７０１）ことに対しては間欠送信（ＤＴＸ）、に対応するＨＡＲＱメッセージをアップリンクＦＤＤキャリア３００のアップリンクサブフレーム３１０内に形成するように、シーケンス及び変調シンボル、又は変調シンボルが選択される。
【０１７３】
ＨＡＲＱ情報からシーケンス及び変調シンボルへの関連付けマッピングは、キャリアの複信の方法から独立しているものとしてよい。
【０１７４】
ＦＤＤキャリア３００、３５０及びＴＤＤキャリア２００に対するＨＡＲＱ情報から変調シンボル及びシーケンスへの関連付けマッピングは、ＦＤＤキャリア３００、３５０及び／又はＴＤＤキャリア２００に対する３ＧＰＰ  ＬＴＥアドバンスト規格３ＧＰＰ  ＴＳ３６．２１３において指定されているＦＤＤ及び／又はＴＤＤ  ＨＡＲＱ−ＡＣＫ手順に基づき得る。
アクション７０４
【０１７５】
受信された（７０１）データに関係するＨＡＲＱフィードバックが、選択された（７０３）シーケンス及び変調シンボル、又はＨＡＲＱメッセージ内の選択された（７０３）変調シンボルを含む、受信機１２０に割り当てられているアップリンクＦＤＤキャリア３００におけるアップリンク制御チャネルリソース３１０上で送信される。
【０１７６】
ＨＡＲＱフィードバックは、シーケンス及び変調シンボルの選択、又は変調シンボルの選択によって提供されるものとしてよく、アップリンクＦＤＤキャリア３００のアップリンクサブフレーム３１０内にＨＡＲＱメッセージを形成する。
【０１７７】
ＨＡＲＱフィードバックは、いくつかの実施形態において、アップリンクＦＤＤキャリア３００のアップリンク３１０においてスケジューリング要求リソース上で送信され得る。空間バンドリングは、ダウンリンクＦＤＤキャリア３５０とＴＤＤキャリア２００の両方のＨＡＲＱフィードバックについて割り当てられているアップリンクサブフレーム内で実行されるものとしてよく、空間バンドリングは、ダウンリンクＦＤＤキャリア３５０のＨＡＲＱフィードバックについて割り当てられているアップリンクサブフレーム３１０内では実行され得ない。
【０１７８】
アップリンクＦＤＤキャリア３００上のアップリンクサブフレーム３１０の種類は、いくつかの実施形態において、上位層構成済みエンティティから、又はダウンリンク制御チャネルによって決定され得る。
【０１７９】
図８は、ワイヤレス通信システム１００に含まれる受信機１２０の一実施形態を例示している。受信機１２０は、前に説明されている方法のアクション７０１〜７０４のうちの少なくともいくつかを実行し、アップリンクＦＤＤキャリア３００におけるアップリンク制御チャネルリソース３１０で、ダウンリンク周波数分割複信（ＦＤＤ）キャリア３５０及び少なくとも１つの時分割複信（ＴＤＤ）キャリア２００のキャリアアグリゲーションを使用してダウンリンクで受信されたデータに対するＨＡＲＱフィードバックを提供するように構成されている。
【０１８０】
受信機１２０は、ユーザ機器（ＵＥ）を含み得る。無線ネットワークノード１１０は、発展型ＮｏｄｅＢ（ｅＮｏｄｅＢ）を含み得る。ワイヤレス通信ネットワーク１００は、第３世代パートナーシッププロジェクトロングタームエボリューション（３ＧＰＰ  ＬＴＥ）に基づくものとしてよい。さらに、ワイヤレス通信システム１００は、異なる実施形態では、ＦＤＤ又はＴＤＤに基づくものとしてよい。ダウンリンクサブフレーム３６０は、ダウンリンクＦＤＤキャリア３５０における物理ダウンリンク共有チャネル（ＰＤＳＣＨ）を含み得る。ダウンリンクサブフレーム２１０は、ＴＤＤキャリア２００における物理ダウンリンク共有チャネル（ＰＤＳＣＨ）を含み得る。アップリンク制御チャネルサブフレーム３１０は、アップリンクＦＤＤキャリア３００における物理アップリンク制御チャネル（ＰＵＣＣＨ）を含み得る。
【０１８１】
受信機１２０は、ＦＤＤキャリア３５０のダウンリンクデータチャネル上のダウンリンクサブフレーム３６０で、及び／又はＴＤＤキャリア２００のダウンリンクデータチャネル上のダウンリンクサブフレーム２１０でデータを受信するように構成された、受信器８１０を備える。
【０１８２】
受信機１２０は、プロセッサ８２０も備え、このプロセッサ８２０はデータが正しく受信されたかどうかを決定するように構成され、また、シーケンス又は変調シンボルを選択して、正しく受信されていると決定されたデータに対しては肯定応答（ＡＣＫ）、正しく受信されていないと決定されたデータに対しては否定応答（ＮＡＣＫ）、及び／又はデータが受信されていなかったことに対しては間欠送信（ＤＴＸ）、に対応するＨＡＲＱメッセージをアップリンクＦＤＤキャリア３００のアップリンクサブフレーム３１０内に形成するようにも構成される。
【０１８３】
そのようなプロセッサ８２０は、処理回路の１つ又は複数のインスタンス、すなわち、中央演算処理装置（ＣＰＵ）、処理ユニット、処理回路、プロセッサ、特定用途向け集積化（ＡＳＩＣ）、マイクロプロセッサ、又は命令を解釈し、実行することができる他の処理ロジックを含み得る。したがって、本明細書で使用されている「プロセッサ」という表現は、例えば、上に列挙されているもののうちのどれか、いくつか、又はすべてなどの、複数の処理回路を含む処理回路を表し得る。
【０１８４】
いくつかの代替的実施形態では、受信機１２０及び／又はプロセッサ８２０は、決定ユニットを備えるものとしてよく、この決定ユニットはいくつかの実施形態において、データが正しく受信されたかどうかを決定するように構成される。さらに、受信機１２０及び／又はプロセッサ８２０は、選択ユニットも備えるものとしてよく、この選択ユニットはシーケンス及び変調シンボルを選択するか、又は変調シンボルを選択して、正しく受信されていると決定されたデータに対しては肯定応答（ＡＣＫ）、正しく受信されていないと決定されたデータに対しては否定応答（ＮＡＣＫ）、及び／又はデータが受信されていなかったことに対しては間欠送信（ＤＴＸ）、に対応するＨＡＲＱメッセージをアップリンクＦＤＤキャリア３００のアップリンクサブフレーム３１０内に形成するように構成される。
【０１８５】
さらに、受信機１２０は、送信機８３０も備え、選択されたシーケンス及び変調シンボル、又はＨＡＲＱメッセージ内の選択された変調シンボルを含む、受信されたデータに関係するＨＡＲＱフィードバックを、受信機１２０に割り当てられているアップリンクＦＤＤキャリア３００におけるアップリンク制御チャネルリソース３１０上で、送信するように構成される。
【０１８６】
それに加えて、受信機１２０は、いくつかの実施形態において、受信機１２０内に少なくとも１つのメモリ８２５も備え得る。オプションのメモリ８２５は、データ又はプログラム、すなわち、命令シーケンスを、一時的に又は永久的に記憶するために利用される物理的デバイスを備え得る。いくつかの実施形態によれば、メモリ８２５は、シリコンベースのトランジスタを備える集積回路を含み得る。さらに、メモリ８２５は、揮発性又は不揮発性メモリとすることができる。
【０１８７】
受信機１２０で実行されるべきアクション７０１〜７０４は、アクション７０１〜７０４の機能を実行するためのコンピュータプログラム製品と一緒に受信機１２０において１つ又は複数のプロセッサ８２０を通じて実装され得る。
【０１８８】
そこで、コンピュータプログラムはアクション７０１〜７０４のうちのどれかにより方法７００を実行するためのプログラムコードを含み、コンピュータプログラムが受信機１２０内のプロセッサ８２０にロードされたときに、ダウンリンクＦＤＤキャリア３５０及び少なくとも１つのＴＤＤキャリア２００のキャリアアグリゲーションを使用してダウンリンクで送信されたデータに対するＨＡＲＱフィードバックを提供する。
【０１８９】
上述のコンピュータプログラム製品は、例えば、プロセッサ８２０にロードされるときにいくつかの実施形態によりアクション７０１〜７０４のうちの少なくともいくつかを実行するためのコンピュータプログラムコードを運ぶデータキャリアの形態で提供され得る。データキャリアは、例えば、ハードディスク、ＣＤ  ＲＯＭディスク、メモリスティック、光記憶装置デバイス、磁気記憶装置デバイス、又は非一時的な方式で機械可読データを保持することができるディスク若しくはテープなどの任意の他の適切な媒体であってよい。さらに、コンピュータプログラム製品は、サーバ上のコンピュータプログラムコードとして提供され、受信機１２０に、例えば、インターネット又はイントラネット接続を介してダウンロードされ得る。
【０１９０】
添付図面に示されているような実施形態の説明で使用されている用語は、説明されている方法５００、７００、無線ネットワークノード１１０、及び／又は受信機１２０を制限することを意図していない。付属の請求項で定義されているような本発明から逸脱することなく、様々な変更、置換、及び／又は改変が行われ得る。
【０１９１】
本明細書で使用されているように、「及び／又は」という言い回しは、１つ又は複数の関連する列挙されている項目のありとあらゆる組合せを含む。それに加えて、単数形を示す「１つ（英語原文中「ａ」、「ａｎ」）」及び「その（英語原文中「ｔｈｅ」）」は、「少なくとも１つ」として解釈されるべきであり、したがって、断りのない限り、場合によっては、同じ種類の複数のエンティティも含む。さらに、「含む」、「備える」、「含むこと」、及び／又は「備えること」という言い回しは、記載されている特徴、アクション、整数、ステップ、操作、要素、及び／又は構成要素の存在を指定し、１つ又は複数の他の特徴、アクション、整数、ステップ、操作、要素、構成要素、及び／又はそれらからなる群の存在若しくは追加を除外しないことも理解されるであろう。例えば、プロセッサなどの単一のユニットが、請求項に記載されているいくつかの項目の機能を遂行することができる。特定の測定が、相互に異なる従属請求項において引用されているという単なる事実は、これらの測定の組合せが有利に使用され得ないことを示すものではない。コンピュータプログラムは、光記憶媒体又は他のハードウェアと一緒に若しくは一部として供給される半導体媒体などの、好適な媒体に記憶／配布され得るが、インターネット又は他の有線若しくはワイヤレス通信システムなどを介する他の形態で配布されることもあり得る。
【図１Ａ】
0006532912.tif 000006
【図１Ｂ】
0006532912.tif 000007
【図１Ｃ】
0006532912.tif 000008
【図１Ｄ】
0006532912.tif 000009
【図１Ｅ】
0006532912.tif 000010
【図２】
0006532912.tif 000011
【図３】
0006532912.tif 000012
【図４】
0006532912.tif 000013
【図５】
0006532912.tif 000014
【図６】
0006532912.tif 000015
【図７】
0006532912.tif 000016
【図８】
0006532912.tif 000017